(57)【特許請求の範囲】
【請求項１】
無線端末装置がハンドオーバ動作を行なうことにより複数の無線基地局装置と通信可能な通信システムにおいて、無線端末装置との間で無線信号を送受信するための無線基地局装置であって、
無線端末装置からの所定情報の到着を予定し、前記所定情報の到着を監視するための監視部と、
前記無線端末装置による自己の無線基地局装置へのハンドオーバ動作が行なわれてから、前記無線端末装置からの前記所定情報が前記監視部の予定に反して自己の無線基地局装置に到着しなくなるまでの時間を計測するための時間計測部と、
前記時間計測部によって計測された前記時間が所定値以上の場合には、無線端末装置による自己から他の無線基地局装置へのハンドオーバ動作のタイミングが早まるように制御するためのハンドオーバ動作制御部とを備える、無線基地局装置。
【請求項２】
前記時間計測部は、前記無線端末装置による自己の無線基地局装置へのハンドオーバ動作が行なわれてから、前記無線端末装置から定期的に送信される所定情報を所定時間以上自己の無線基地局装置が受信していない状態となるまでの時間を計測する、請求項１に記載の無線基地局装置。
【請求項３】
前記監視部は、無線端末装置による自己の無線基地局装置へのハンドオーバ動作が行なわれてから、前記無線端末装置からの所定情報が到着した回数をカウントし、
前記時間計測部は、前記監視部によってカウントされた前記回数に基づいて前記時間を計測する、請求項２に記載の無線基地局装置。
【請求項４】
前記時間計測部は、前記無線端末装置による自己の無線基地局装置へのハンドオーバ動作が行なわれてから、無線基地局装置の要求に応じて前記無線端末装置から送信される所定情報を、自己の無線基地局装置が前記要求を行ってから所定時間以上受信していない状態となるまでの時間を計測する、請求項１に記載の無線基地局装置。
【請求項５】
前記所定情報は、前記無線端末装置における自己の無線基地局装置からの無線信号の受信品質を示し、
前記ハンドオーバ動作制御部は、前記時間計測部によって計測された前記時間が所定値以上であり、かつ過去に到着した前記所定情報の示す前記受信品質が悪い場合には、前記ハンドオーバ動作のタイミングが早まるように制御し、過去に到着した前記所定情報の示す前記受信品質が良い場合には、前記ハンドオーバ動作のタイミングを早める制御を行なわないか、前記所定情報の示す前記受信品質が悪い場合と比べて前記ハンドオーバ動作のタイミングを早める制御幅を小さく設定するか、または前記ハンドオーバ動作のタイミングを早める制御を行なう判断基準となるカウント値を前記受信品質が悪い場合と比べて少なく増加または減少させる、請求項１から請求項４のいずれか１項に記載の無線基地局装置。
【請求項６】
前記ハンドオーバ動作制御部は、前記時間計測部によって計測された前記時間が所定値以上であり、過去に到着した前記所定情報の示す前記受信品質が良く、かつ前記無線端末装置の移動速度が高い場合には、前記所定情報の示す前記受信品質が悪い場合と比べて前記ハンドオーバ動作のタイミングを早める制御幅を小さく設定するか、または前記ハンドオーバ動作のタイミングを早める制御を行なう判断基準となるカウント値を前記受信品質が悪い場合と比べて少なく増加または減少させ、
前記ハンドオーバ動作制御部は、前記時間計測部によって計測された前記時間が所定値以上であり、過去に到着した前記所定情報の示す前記受信品質が良く、かつ前記無線端末装置の移動速度が低い場合には、前記ハンドオーバ動作のタイミングを早める制御を行なわない、請求項５に記載の無線基地局装置。
【請求項７】
前記無線基地局装置は、さらに、
前記無線端末装置における各無線基地局装置からの無線信号の受信電力の測定結果を示す受信電力情報を取得するための電力情報取得部を備え、
前記ハンドオーバ動作制御部は、前記時間計測部によって計測された前記時間が所定値以上であり、かつ前記電力情報取得部によって取得された前記受信電力情報の示す各前記受信電力のうちの少なくともいずれか１つが所定値以上である場合に、前記ハンドオーバ動作のタイミングが早まるように制御する、請求項１から請求項６のいずれか１項に記載の無線基地局装置。
【請求項８】
前記無線基地局装置は、さらに、
無線端末装置における各無線基地局装置からの無線信号の受信電力の測定結果を示す受信電力情報を取得するための電力情報取得部を備え、
前記ハンドオーバ動作制御部は、前記時間計測部によって計測された前記時間が所定値以上であり、かつ前記電力情報取得部によって取得された前記受信電力情報において、自己の無線基地局装置からの無線信号の受信電力が他の無線基地局装置からの無線信号の受信電力よりも小さい場合に、前記ハンドオーバ動作のタイミングが早まるように制御する、請求項１から請求項７のいずれか１項に記載の無線基地局装置。
【請求項９】
前記ハンドオーバ動作制御部は、前記時間計測部によって計測された前記時間が所定値以上であり、かつ前記無線端末装置の移動速度が所定値未満の場合に、前記ハンドオーバ動作のタイミングが早まるように制御する、請求項１から請求項８のいずれか１項に記載の無線基地局装置。
【請求項１０】
前記ハンドオーバ動作制御部は、さらに、ハンドオーバ動作の前記タイミング制御を行った回数、および無線端末装置による自己から他の無線基地局装置へのハンドオーバ動作が成功した回数に基づいて、前記ハンドオーバ動作のタイミングが早まるように制御するか、または前記ハンドオーバ動作のタイミングが遅くなるように制御する、請求項１から請求項９のいずれか１項に記載の無線基地局装置。
【請求項１１】
無線端末装置がハンドオーバ動作を行なうことにより複数の無線基地局装置と通信可能な通信システムにおいて、無線端末装置との間で無線信号を送受信するための無線基地局装置における通信制御方法であって、
無線端末装置からの所定情報の到着を予定し、前記所定情報の到着を監視するステップと、
前記無線端末装置による自己の無線基地局装置へのハンドオーバ動作が行なわれてから、前記無線端末装置からの前記所定情報が予定に反して自己の無線基地局装置に到着しなくなるまでの時間を計測するステップと、
計測した前記時間が所定値以上の場合には、無線端末装置による自己から他の無線基地局装置へのハンドオーバ動作のタイミングが早まるように制御するステップとを含む、通信制御方法。
【請求項１２】
無線端末装置がハンドオーバ動作を行なうことにより複数の無線基地局装置と通信可能な通信システムにおいて、無線端末装置との間で無線信号を送受信するための無線基地局装置において用いられる通信制御プログラムであって、コンピュータに、
無線端末装置からの所定情報の到着を予定し、前記所定情報の到着を監視するステップと、
前記無線端末装置による自己の無線基地局装置へのハンドオーバ動作が行なわれてから、前記無線端末装置からの前記所定情報が予定に反して自己の無線基地局装置に到着しなくなるまでの時間を計測するステップと、
計測した前記時間が所定値以上の場合には、無線端末装置による自己から他の無線基地局装置へのハンドオーバ動作のタイミングが早まるように制御するステップとを実行させるための、通信制御プログラム。
【発明の詳細な説明】
【技術分野】
【０００１】
本発明は、無線基地局装置、通信制御方法および通信制御プログラムに関し、特に、無線端末装置がハンドオーバ動作を行なうことにより複数の無線基地局装置と通信可能な通信システムにおける無線基地局装置、通信制御方法および通信制御プログラムに関する。
【背景技術】
【０００２】
従来、移動通信システムでは、半径数百メートルから数十キロメートルのセルすなわち無線端末装置が通信可能なエリアを形成する無線基地局装置（以下、マクロ基地局とも称する。）による通信サービスが提供されてきた。
【０００３】
近年、移動通信サービスの加入者数の劇的な増加およびデータ通信による通信トラヒック量の増大から、より半径の小さいセルを形成することによって加入者および通信トラヒックを分散し、また、一定レベルの通信速度をユーザへ安定して提供することが望まれている。また、ビルの超高層化に伴う不感地対策のため、企業フロア内および一般家庭内への無線基地局装置の設置も望まれている。
【０００４】
これらの要望と併せて、無線基地局装置で使用される種々のデバイスの処理能力が飛躍的に向上したことによって無線基地局装置の小型化が進み、このような小型化された基地局が注目を集めている。
【０００５】
この小型基地局（以下、フェムト基地局とも称する。）が形成するフェムトセル（Femto Cell）の半径は１０メートル前後と小さいため、フェムト基地局は、マクロ基地局が形成するマクロセル（Macro Cell）の圏外となりマクロ基地局の設置が困難な屋内および地下街等の場所で使用されることが考えられる。
【０００６】
また、フェムト基地局は特定のエリアに多数設置されることから、フェムト基地局を直接コアネットワークに接続することは難しい。このため、特定のエリアに設置された多数のフェムト基地局を一旦、ＨｅＮＢ−ＧＷ等のゲートウェイ装置に接続し、フェムト基地局とコアネットワークとをＨｅＮＢ−ＧＷ経由で接続することが考えられる。
【０００７】
また、フェムト基地局に加えて、マクロ基地局をベースに、たとえば半径１００メートルから２００メートルのピコセルを形成するピコ基地局も開発されている。
【０００８】
このようなフェムト基地局、ピコ基地局およびマクロ基地局が混在する通信システムであるヘテロジーニアスネットワークでは、たとえばマクロセル内に複数のフェムトセルまたはピコセルが形成される。このため、無線端末装置のハンドオーバが起こりやすくなり、また、ハンドオーバを行なう状況も複雑になることから、ハンドオーバのタイミングが早すぎたり、あるいは遅すぎたりするなど、不適切なハンドオーバ動作が行なわれる場合がある（たとえば、3GPP TR 36.902 V9.3.1 2011.3（非特許文献１）参照）。
【先行技術文献】
【非特許文献】
【０００９】
【非特許文献１】3GPP TR 36.902 V9.3.1 2011.3
【発明の概要】
【発明が解決しようとする課題】
【００１０】
非特許文献１に記載されるような不適切なハンドオーバ動作が行なわれると、通信システムにおいて、通信断および通信トラフィックの増大等、種々の問題が生じる。このような不適切なハンドオーバ動作を抑制し、良好な通信システムを構築する技術が望まれる。
【００１１】
この発明は、上述の課題を解決するためになされたもので、その目的は、不適切なハンドオーバ動作を検出し、無線端末装置のハンドオーバ動作を制御することにより、通信の安定化を図ることが可能な無線基地局装置、通信制御方法および通信制御プログラムを提供することである。
【課題を解決するための手段】
【００１２】
（１）上記課題を解決するために、この発明のある局面に係わる無線基地局装置は、無線端末装置がハンドオーバ動作を行なうことにより複数の無線基地局装置と通信可能な通信システムにおいて、無線端末装置との間で無線信号を送受信するための無線基地局装置であって、無線端末装置からの所定情報の到着を予定し、上記所定情報の到着を監視するための監視部と、上記無線端末装置による自己の無線基地局装置へのハンドオーバ動作が行なわれてから、上記無線端末装置からの上記所定情報が上記監視部の予定に反して自己の無線基地局装置に到着しなくなるまでの時間を計測するための時間計測部と、上記時間計測部によって計測された上記時間が所定値以上の場合には、無線端末装置による自己から他の無線基地局装置へのハンドオーバ動作のタイミングが早まるように制御するためのハンドオーバ動作制御部とを備える。
【００１３】
このような構成により、無線端末装置によるハンドオーバのタイミングが遅すぎる”Ｔｏｏ  Ｌａｔｅ  ＨＯ”を、無線基地局装置単体で検出することが可能となる。すなわち、無線基地局装置間で情報をやり取りすることができない場合、あるいは無線端末装置がＲＬＦ（Radio Link Failure）等に関する情報を無線基地局装置に通知する機能を有していない場合でも、不適切なハンドオーバ動作を検出することができる。また、無線基地局装置間で情報をやり取りする必要がなくなることから、コアネットワークにおける処理の簡易化および通信トラフィックの低減を図ることができる。また、無線端末装置による自己の無線基地局装置へのハンドオーバ動作が行なわれてからの経過時間を含めた無線端末装置との通信状況を取得し、これに基づく判断を行なう構成により、”Ｔｏｏ  Ｌａｔｅ  ＨＯ”を適切に検出することができる。そして、無線基地局装置は、”Ｔｏｏ  Ｌａｔｅ  ＨＯ”を検出することにより、たとえばハンドオーバ動作を制御するパラメータを調整して”Ｔｏｏ  Ｌａｔｅ  ＨＯ”を抑制することができるため、良好な通信システムを構築することができる。したがって、不適切なハンドオーバ動作を検出し、無線端末装置のハンドオーバ動作を制御することにより、通信の安定化を図ることができる。
【００１４】
（２）好ましくは、上記時間計測部は、上記無線端末装置による自己の無線基地局装置へのハンドオーバ動作が行なわれてから、上記無線端末装置から定期的に送信される所定情報を所定時間以上自己の無線基地局装置が受信していない状態となるまでの時間を計測する。
【００１５】
このように、無線端末装置から定期的に送信される情報を用いる構成により、無線端末装置による自己の無線基地局装置へのハンドオーバ動作が行なわれてからの経過時間を含めた無線端末装置との通信状況を正確に把握し、”Ｔｏｏ  Ｌａｔｅ  ＨＯ”を適切に検出することができる。また、無線端末装置からの所定情報の未到着を監視する構成により、無線端末装置との間の通信の途絶を適切に検出することができる。
【００１６】
（３）より好ましくは、上記監視部は、無線端末装置による自己の無線基地局装置へのハンドオーバ動作が行なわれてから、上記無線端末装置からの所定情報が到着した回数をカウントし、上記時間計測部は、上記監視部によってカウントされた上記回数に基づいて上記時間を計測する。
【００１７】
このように、無線端末装置から定期的に送信される情報の到着回数をカウントする構成により、無線端末装置による自己の無線基地局装置へのハンドオーバ動作が行なわれてから、無線端末装置および自己の無線基地局装置間の通信が途絶するまでの時間を、簡易な構成および処理で取得することができる。
【００１８】
（４）好ましくは、上記時間計測部は、上記無線端末装置による自己の無線基地局装置へのハンドオーバ動作が行なわれてから、無線基地局装置の要求に応じて上記無線端末装置から送信される所定情報を、自己の無線基地局装置が上記要求を行ってから所定時間以上受信していない状態となるまでの時間を計測する。
【００１９】
このように、無線基地局装置の要求に応じて無線端末装置から送信される情報を用いる構成により、無線端末装置からの所定情報の未到着を監視し、無線端末装置との間の通信の途絶を適切に検出することができる。
【００２０】
（５）好ましくは、上記所定情報は、上記無線端末装置における自己の無線基地局装置からの無線信号の受信品質を示し、上記ハンドオーバ動作制御部は、上記時間計測部によって計測された上記時間が所定値以上であり、かつ過去に到着した上記所定情報の示す上記受信品質が悪い場合には、上記ハンドオーバ動作のタイミングが早まるように制御し、過去に到着した上記所定情報の示す上記受信品質が良い場合には、上記ハンドオーバ動作のタイミングを早める制御を行なわないか、上記所定情報の示す上記受信品質が悪い場合と比べて上記ハンドオーバ動作のタイミングを早める制御幅を小さく設定するか、または上記ハンドオーバ動作のタイミングを早める制御を行なう判断基準となるカウント値を上記受信品質が悪い場合と比べて少なく増加または減少させる。
【００２１】
このように、無線端末装置からの所定情報が途絶える以前の当該無線端末装置における受信品質を用いる構成により、無線端末装置における電波環境を正確に把握し、”Ｔｏｏ  Ｌａｔｅ  ＨＯ”を適切に検出することができる。
【００２２】
（６）より好ましくは、上記ハンドオーバ動作制御部は、上記時間計測部によって計測された上記時間が所定値以上であり、過去に到着した上記所定情報の示す上記受信品質が良く、かつ上記無線端末装置の移動速度が高い場合には、上記所定情報の示す上記受信品質が悪い場合と比べて上記ハンドオーバ動作のタイミングを早める制御幅を小さく設定するか、または上記ハンドオーバ動作のタイミングを早める制御を行なう判断基準となるカウント値を上記受信品質が悪い場合と比べて少なく増加または減少させ、上記ハンドオーバ動作制御部は、上記時間計測部によって計測された上記時間が所定値以上であり、過去に到着した上記所定情報の示す上記受信品質が良く、かつ上記無線端末装置の移動速度が低い場合には、上記ハンドオーバ動作のタイミングを早める制御を行なわない。
【００２３】
このように、無線端末装置の受信品質に加えて移動速度を用いる構成により、無線端末装置における電波環境をさらに正確に把握し、”Ｔｏｏ  Ｌａｔｅ  ＨＯ”をより適切に検出することができる。
【００２４】
（７）好ましくは、上記無線基地局装置は、さらに、上記無線端末装置における各無線基地局装置からの無線信号の受信電力の測定結果を示す受信電力情報を取得するための電力情報取得部を備え、上記ハンドオーバ動作制御部は、上記時間計測部によって計測された上記時間が所定値以上であり、かつ上記電力情報取得部によって取得された上記受信電力情報の示す各上記受信電力のうちの少なくともいずれか１つが所定値以上である場合に、上記ハンドオーバ動作のタイミングが早まるように制御する。
【００２５】
このような構成により、無線端末装置がどの無線基地局装置とも通信できないカバレッジホールへ進入した事象と”Ｔｏｏ  Ｌａｔｅ  ＨＯ”の発生とを適切に区別し、”Ｔｏｏ  Ｌａｔｅ  ＨＯ”の誤検出を抑制することができる。
【００２６】
（８）好ましくは、上記無線基地局装置は、さらに、無線端末装置における各無線基地局装置からの無線信号の受信電力の測定結果を示す受信電力情報を取得するための電力情報取得部を備え、上記ハンドオーバ動作制御部は、上記時間計測部によって計測された上記時間が所定値以上であり、かつ上記電力情報取得部によって取得された上記受信電力情報において、自己の無線基地局装置からの無線信号の受信電力が他の無線基地局装置からの無線信号の受信電力よりも小さい場合に、上記ハンドオーバ動作のタイミングが早まるように制御する。
【００２７】
このような構成により、無線端末装置における電波環境を正確に把握するとともに受信電力情報の更新周期を適切に評価することができるため、無駄なハンドオーバ制御を抑制することができる。
【００２８】
（９）好ましくは、上記ハンドオーバ動作制御部は、上記時間計測部によって計測された上記時間が所定値以上であり、かつ上記無線端末装置の移動速度が所定値未満の場合に、上記ハンドオーバ動作のタイミングが早まるように制御する。
【００２９】
このような構成により、無線端末装置の移動速度に応じて、ハンドオーバ動作のタイミング制御を行なうか否かを適切に判断することができる。
【００３０】
（１０）好ましくは、上記ハンドオーバ動作制御部は、さらに、ハンドオーバ動作の上記タイミング制御を行った回数、および無線端末装置による自己から他の無線基地局装置へのハンドオーバ動作が成功した回数に基づいて、上記ハンドオーバ動作のタイミングが早まるように制御するか、または上記ハンドオーバ動作のタイミングが遅くなるように制御する。
【００３１】
このような構成により、無線基地局装置における”Ｔｏｏ  Ｌａｔｅ  ＨＯ”の発生を含めたハンドオーバ動作履歴に基づいて、ハンドオーバ動作のタイミングを早める制御に加えて、ハンドオーバ動作のタイミングを遅くする制御を行なうことができるため、ハンドオーバ動作のタイミングをより適切に制御することができる。
【００３２】
（１１）上記課題を解決するために、この発明のある局面に係わる通信制御方法は、無線端末装置がハンドオーバ動作を行なうことにより複数の無線基地局装置と通信可能な通信システムにおいて、無線端末装置との間で無線信号を送受信するための無線基地局装置における通信制御方法であって、無線端末装置からの所定情報の到着を予定し、上記所定情報の到着を監視するステップと、上記無線端末装置による自己の無線基地局装置へのハンドオーバ動作が行なわれてから、上記無線端末装置からの上記所定情報が予定に反して自己の無線基地局装置に到着しなくなるまでの時間を計測するステップと、計測した上記時間が所定値以上の場合には、無線端末装置による自己から他の無線基地局装置へのハンドオーバ動作のタイミングが早まるように制御するステップとを含む。
【００３３】
このような構成により、無線端末装置によるハンドオーバのタイミングが遅すぎる”Ｔｏｏ  Ｌａｔｅ  ＨＯ”を、無線基地局装置単体で検出することが可能となる。すなわち、無線基地局装置間で情報をやり取りすることができない場合、あるいは無線端末装置がＲＬＦ（Radio Link Failure）等に関する情報を無線基地局装置に通知する機能を有していない場合でも、不適切なハンドオーバ動作を検出することができる。また、無線基地局装置間で情報をやり取りする必要がなくなることから、コアネットワークにおける処理の簡易化および通信トラフィックの低減を図ることができる。また、無線端末装置による自己の無線基地局装置へのハンドオーバ動作が行なわれてからの経過時間を含めた無線端末装置との通信状況を取得し、これに基づく判断を行なう構成により、”Ｔｏｏ  Ｌａｔｅ  ＨＯ”を適切に検出することができる。そして、無線基地局装置は、”Ｔｏｏ  Ｌａｔｅ  ＨＯ”を検出することにより、たとえばハンドオーバ動作を制御するパラメータを調整して”Ｔｏｏ  Ｌａｔｅ  ＨＯ”を抑制することができるため、良好な通信システムを構築することができる。したがって、不適切なハンドオーバ動作を検出し、無線端末装置のハンドオーバ動作を制御することにより、通信の安定化を図ることができる。
【００３４】
（１２）上記課題を解決するために、この発明のある局面に係わる通信制御プログラムは、無線端末装置がハンドオーバ動作を行なうことにより複数の無線基地局装置と通信可能な通信システムにおいて、無線端末装置との間で無線信号を送受信するための無線基地局装置において用いられる通信制御プログラムであって、コンピュータに、無線端末装置からの所定情報の到着を予定し、上記所定情報の到着を監視するステップと、上記無線端末装置による自己の無線基地局装置へのハンドオーバ動作が行なわれてから、上記無線端末装置からの上記所定情報が予定に反して自己の無線基地局装置に到着しなくなるまでの時間を計測するステップと、計測した上記時間が所定値以上の場合には、無線端末装置による自己から他の無線基地局装置へのハンドオーバ動作のタイミングが早まるように制御するステップとを実行させるためのプログラムである。
【００３５】
このような構成により、無線端末装置によるハンドオーバのタイミングが遅すぎる”Ｔｏｏ  Ｌａｔｅ  ＨＯ”を、無線基地局装置単体で検出することが可能となる。すなわち、無線基地局装置間で情報をやり取りすることができない場合、あるいは無線端末装置がＲＬＦ（Radio Link Failure）等に関する情報を無線基地局装置に通知する機能を有していない場合でも、不適切なハンドオーバ動作を検出することができる。また、無線基地局装置間で情報をやり取りする必要がなくなることから、コアネットワークにおける処理の簡易化および通信トラフィックの低減を図ることができる。また、無線端末装置による自己の無線基地局装置へのハンドオーバ動作が行なわれてからの経過時間を含めた無線端末装置との通信状況を取得し、これに基づく判断を行なう構成により、”Ｔｏｏ  Ｌａｔｅ  ＨＯ”を適切に検出することができる。そして、無線基地局装置は、”Ｔｏｏ  Ｌａｔｅ  ＨＯ”を検出することにより、たとえばハンドオーバ動作を制御するパラメータを調整して”Ｔｏｏ  Ｌａｔｅ  ＨＯ”を抑制することができるため、良好な通信システムを構築することができる。したがって、不適切なハンドオーバ動作を検出し、無線端末装置のハンドオーバ動作を制御することにより、通信の安定化を図ることができる。
【発明の効果】
【００３６】
本発明によれば、不適切なハンドオーバ動作を検出し、無線端末装置のハンドオーバ動作を制御することにより、通信の安定化を図ることができる。
【図面の簡単な説明】
【００３７】
【図１】本発明の実施の形態に係る無線通信システムの構成を示す図である。
【図２】本発明の実施の形態に係る無線通信システムにおけるハンドオーバ動作のシーケンスの一例を示す図である。
【図３】本発明の実施の形態に係る無線通信システムにおいて、不適切なハンドオーバ動作（Ｔｏｏ  Ｌａｔｅ  ＨＯ）が生じた状況の一例を示す図である。
【図４】本発明の実施の形態に係る無線通信システムにおける、不適切なハンドオーバ動作（Ｔｏｏ  Ｌａｔｅ  ＨＯ）およびその検出処理のシーケンスの一例を示す図である。
【図５】本発明の実施の形態に係る無線通信システムにおいて、不適切なハンドオーバ動作（Ｔｏｏ  Ｅａｒｌｙ  ＨＯ）が生じた状況の一例を示す図である。
【図６】本発明の実施の形態に係る無線通信システムにおいて、不適切なハンドオーバ動作（Ｔｏｏ  Ｅａｒｌｙ  ＨＯ）が生じた状況の一例を示す図である。
【図７】本発明の実施の形態に係る無線通信システムにおける、不適切なハンドオーバ動作（Ｔｏｏ  Ｅａｒｌｙ  ＨＯ）およびその検出処理のシーケンスの一例を示す図である。
【図８】本発明の実施の形態に係る無線通信システムにおいて、不適切なハンドオーバ動作（ＨＯ  ｔｏ  Ｗｒｏｎｇ  Ｃｅｌｌ）が生じた状況の一例を示す図である。
【図９】本発明の実施の形態に係る無線通信システムにおける、不適切なハンドオーバ動作（ＨＯ  ｔｏ  Ｗｒｏｎｇ  Ｃｅｌｌ）およびその検出処理のシーケンスの一例を示す図である。
【図１０】本発明の実施の形態に係る無線通信システムにおける、無線端末装置の受信品質のシミュレーション結果を示す図である。
【図１１】本発明の実施の形態に係る無線通信システムにおいて、無線端末装置が測定結果通知を送信するイベントＡ１を示す図である。
【図１２】本発明の実施の形態に係る無線通信システムにおいて、無線端末装置が測定結果通知を送信するイベントＡ２を示す図である。
【図１３】本発明の実施の形態に係る無線通信システムにおいて、無線端末装置が測定結果通知を送信するイベントＡ３を示す図である。
【図１４】本発明の実施の形態に係る無線通信システムにおいて、無線端末装置が測定結果通知を送信するイベントＡ４を示す図である。
【図１５】本発明の実施の形態に係る無線通信システムにおいて、無線端末装置が測定結果通知を送信するイベントＡ５を示す図である。
【図１６】本発明の実施の形態に係る無線通信システムにおいて、ヒステリシスＨＳの調整によるハンドオーバ動作のタイミング制御を示す図である。
【図１７】本発明の実施の形態に係る無線通信システムにおいて、ＴＴＴの調整によるハンドオーバ動作のタイミング制御を示す図である。
【図１８】本発明の実施の形態に係る無線通信システムにおいて、オフセットＯＳＴの調整によるハンドオーバ動作のタイミング制御を示す図である。
【図１９】本発明の実施の形態に係る無線基地局装置の構成を示す図である。
【図２０】本発明の実施の形態に係る無線基地局装置における制御部の構成を示す図である。
【図２１】本発明の実施の形態に係る無線基地局装置が”Ｔｏｏ  Ｌａｔｅ  ＨＯ”の検出処理およびハンドオーバタイミング制御処理を行なう際の動作手順の一例を定めたシーケンス図である。
【図２２】本発明の実施の形態に係る無線通信システムにおいてカバレッジホールが発生した状態の一例を示す図である。
【図２３】本発明の実施の形態に係る無線基地局装置によるＣＱＩレポートの確認方法の一例を示す図である。
【図２４】本発明の実施の形態に係る無線基地局装置が”Ｔｏｏ  Ｌａｔｅ  ＨＯ”の検出処理およびハンドオーバタイミング制御処理を行なう際の動作手順の一例を定めたシーケンス図である。
【図２５】本発明の実施の形態に係る無線基地局装置が”Ｔｏｏ  Ｌａｔｅ  ＨＯ”の検出処理およびハンドオーバタイミング制御処理を行なう際の動作手順の一例を定めたシーケンス図である。
【図２６】本発明の実施の形態に係る無線基地局装置がハンドオーバ動作履歴を用いてハンドオーバタイミング制御処理を行なう際の動作手順の一例を定めたシーケンス図である。
【発明を実施するための形態】
【００３８】
以下、本発明の実施の形態について図面を用いて説明する。なお、図中同一または相当部分には同一符号を付してその説明は繰り返さない。
【００３９】
無線基地局装置は、自らの形成するセルおよび周辺セルについての情報、すなわち無線信号の周波数および周辺セルのＩＤ（identification）等を無線端末装置に通知する。無線端末装置は、無線基地局装置から通知された情報に基づいて、周辺セルの検出および測定を行なう。無線端末装置は、この測定結果に基づいて、周辺セルへの移動を開始する。ここで、無線端末装置の「移動」とは、ハンドオーバを意味することに加えて、アイドル状態の無線端末装置が今後通信を開始する、すなわち通話またはデータ通信を開始する際にどのセルを介して通信を行なうかを選択することを意味する。
【００４０】
たとえば、無線端末装置が無線基地局装置と通信しているときには、無線端末装置の移動先は無線基地局装置またはコアネットワークにおける上位装置が決定する。また、たとえば、無線端末装置が無線基地局装置と通信していないときには、無線端末装置の移動先は無線端末装置が決定する。
【００４１】
また、ハンドオーバとは、通話中またはデータ通信中の無線端末装置の通信相手となる無線基地局装置が切り替えられることを意味する。
【００４２】
また、無線端末装置がセルに在圏している、とは、無線端末装置が、当該セルを形成する無線基地局装置を通信先として選択し、かつ当該無線基地局装置と通信可能な状態または通信中である状態を意味する。
【００４３】
フェムトセルおよびアクセスモードは、３ＧＰＰ（Third Generation Partnership Project）  ＳＰＥＣ  ＴＳ２２．２２０において以下のように説明されている。すなわち、フェムト基地局は、無線インタフェースを介して接続されている無線端末装置を、ＩＰバックホール（backhaul）を用いて、移動通信事業者網に接続する顧客構内装置である。
【００４４】
また、フェムトセルのアクセスモードにおいて、クローズドアクセスモードのフェムト基地局は、関連するＣＳＧ（Closed Subscriber Group）メンバーにのみサービスを提供する。また、ハイブリッドモードのフェムト基地局は、関連するＣＳＧメンバーおよびＣＳＧノンメンバーにサービスを提供する。また、オープンアクセスモードのフェムト基地局は、通常の基地局として動作する。
【００４５】
本発明の実施の形態に係る無線通信システムにおいても、このような３ＧＰＰの定義を適用してもよい。
【００４６】
また、上記定義と合わせて、あるいは別個に、以下のような定義を適用することも可能である。
【００４７】
マクロ基地局およびピコ基地局は、事業者の管理下にあり、事業者と契約している無線基地局装置が通信可能な無線基地局装置である。また、マクロ基地局およびピコ基地局は、基本的に電源がオフになることはないと考えられる。
【００４８】
また、フェムト基地局は、主に個人または法人の建物内に設置され、ユーザの事情により移動するまたは電源がオフとなる可能性がある無線基地局装置である。
【００４９】
また、フェムト基地局は、オープン／ハイブリッド／クローズドのいずれかのアクセスモードで動作する。フェムト基地局は、クローズドアクセスモードで動作する場合には、登録済みのメンバー（端末）のみ接続可能となる。また、クローズドアクセスモードで動作する場合には、登録済みのメンバーにのみサービスを提供する。また、ハイブリッドモードで動作する場合には、登録済みのメンバー、および未登録のメンバーすなわちノンメンバーの両方にサービスを提供する。また、オープンアクセスモードで動作する場合には、マクロ基地局およびピコ基地局と同じ動作をする。
【００５０】
［構成および基本動作］
図１は、本発明の実施の形態に係る無線通信システムの構成を示す図である。
【００５１】
図１を参照して、無線通信システムは、たとえば３ＧＰＰ（Third Generation Partnership Project）で規格化されたＬＴＥ（Long Term Evolution）に従う移動体通信システムであり、無線基地局装置１０１Ａ，１０１Ｂを備える。図１では、２つの無線基地局装置を代表的に示しているが、さらに多数の無線基地局装置が設けられてもよい。
【００５２】
無線基地局装置１０１Ａ，１０１Ｂは、たとえばフェムト基地局、ピコ基地局またはマクロ基地局である。
【００５３】
無線基地局装置１０１Ａは、セルＣＡを形成し、セルＣＡ内に存在する無線端末装置２０２と無線信号を送受信することにより、当該無線端末装置２０２と通信することが可能である。無線基地局装置１０１Ｂは、セルＣＢを形成し、セルＣＢ内に存在する無線端末装置２０２と無線信号を送受信することにより、当該無線端末装置２０２と通信することが可能である。
【００５４】
ここで、無線端末装置からコアネットワークへの方向を上り方向と称し、コアネットワークから無線端末装置への方向を下り方向と称する。
【００５５】
本発明の実施の形態に係る無線通信システムにおける無線基地局装置および無線端末装置は、以下の各シーケンスおよび各フローチャートの各ステップを含むプログラムを図示しないメモリから読み出して実行する。このプログラムは、外部からインストールすることができる。このインストールされるプログラムは、たとえば記録媒体に格納された状態で流通する。
【００５６】
図２は、本発明の実施の形態に係る無線通信システムにおけるハンドオーバ動作のシーケンスの一例を示す図である。
【００５７】
ここでは、図１に示すように、無線端末装置２０２が、セルＣＡ内に位置し、無線基地局装置１０１Ａと通信中である状態から、セルＣＡおよびセルＣＢの重複領域へ移動した場合を想定する。
【００５８】
図２を参照して、まず、無線基地局装置１０１Ａは、自己と通信中の無線端末装置２０２の測定対象となる周波数と、当該周波数の無線信号を送信する他の無線基地局装置とを設定する（ステップＳ１）。
【００５９】
次に、無線基地局装置１０１Ａは、設定した他の無線基地局装置から送信される無線信号の受信レベルを無線端末装置２０２に測定させるための測定開始要求（Measurement Configuration）を無線端末装置２０２へ送信する。この測定開始要求には、周辺セル情報、すなわち測定対象となる無線基地局装置のセルＩＤが含まれる。また、この測定開始要求には、各無線基地局装置の送信周波数が含まれる（ステップＳ２）。
【００６０】
次に、無線端末装置２０２は、無線基地局装置１０１Ａから測定開始要求を受信して、電力測定処理（Measurement）を開始する、すなわち受信した測定開始要求の示す周波数において、測定開始要求の示す無線基地局装置から送信される無線信号の受信電力を測定する（ステップＳ３）。
【００６１】
次に、無線端末装置２０２は、この受信電力の測定結果を示す測定結果通知（Measurement Report）を無線基地局装置１０１Ａへ送信する。たとえば、無線端末装置２０２は、受信電力の測定を定期的に行ない、無線基地局装置１０１Ａとの通信状態が悪くなった場合、および無線基地局装置１０１Ａ以外の他の無線基地局装置との通信状態が良くなった場合に、測定結果通知を無線基地局装置１０１Ａへ送信する（ステップＳ４）。
【００６２】
次に、無線基地局装置１０１Ａは、無線端末装置２０２から受信した測定結果通知に基づいて、セルＩＤごとの測定結果を示す測定情報を取得し、図示しない記憶部に保存する（ステップＳ５）。
【００６３】
次に、無線基地局装置１０１Ａは、無線端末装置２０２から受信した測定結果通知に基づいて、当該無線端末装置２０２がハンドオーバすべきか否かを判断し、ハンドオーバすべきであると判断すると、周辺セル情報を参照してたとえば無線基地局装置１０１Ｂをハンドオーバ先として決定する（ステップＳ６）。
【００６４】
次に、無線基地局装置１０１Ａは、無線基地局装置１０１Ｂを示すハンドオーバ要求を上位装置へ送信する（ステップＳ７）。
【００６５】
次に、上位装置は、無線基地局装置１０１Ａからハンドオーバ要求を受信して、無線基地局装置１０１Ｂへ当該ハンドオーバ要求を送信する（ステップＳ８）。
【００６６】
次に、無線基地局装置１０１Ｂは、上位装置からハンドオーバ要求を受信して、上位装置へ当該ハンドオーバ要求に対するハンドオーバ応答を送信する（ステップＳ９）。
【００６７】
次に、上位装置は、無線基地局装置１０１Ｂからハンドオーバ応答を受信して、無線基地局装置１０１Ａへハンドオーバ指示を送信する（ステップＳ１０）。
【００６８】
次に、無線基地局装置１０１Ａは、上位装置からハンドオーバ指示を受信して、無線端末装置２０２へＲＲＣ（Radio Resource Control）コネクション再構成指示（RRC Connection Reconfiguration）を送信する（ステップＳ１１）。
【００６９】
次に、無線基地局装置１０１Ａは、上位装置へ自己の通信状態等を示す状態通知を送信する（ステップＳ１２）。
【００７０】
次に、上位装置は、無線基地局装置１０１Ａから状態通知を受信して、無線基地局装置１０１Ｂへ無線端末装置２０２との通信内容等を示す状態通知を送信する（ステップＳ１３）。
【００７１】
また、無線端末装置２０２および無線基地局装置１０１Ｂ間でＲＲＣコネクションが確立されると、無線端末装置２０２は、無線基地局装置１０１ＢへＲＲＣコネクション再構成完了通知（RRC Connection Reconfiguration Complete）を送信する（ステップＳ１４）。
【００７２】
次に、無線基地局装置１０１Ｂは、無線端末装置２０２からＲＲＣコネクション再構成完了通知を受信して、上位装置へハンドオーバ完了通知を送信する（ステップＳ１５）。
【００７３】
次に、上位装置は、無線基地局装置１０１Ｂからハンドオーバ完了通知を受信して、端末情報解放指示を無線基地局装置１０１Ａへ送信する（ステップＳ１６）。
【００７４】
次に、無線基地局装置１０１Ａは、上位装置から端末情報解放指示を受信して、無線端末装置２０２に関する情報を解放し、上位装置へ端末情報解放完了通知を送信する（ステップＳ１７）。
【００７５】
［不適切なハンドオーバ動作の例］
以下、無線端末装置２０２と通信中の無線基地局装置またはハンドオーバ元の無線基地局装置をサービング基地局とも称し、ハンドオーバ先の無線基地局装置を周辺基地局とも称する。
【００７６】
図３は、本発明の実施の形態に係る無線通信システムにおいて、不適切なハンドオーバ動作（Ｔｏｏ  Ｌａｔｅ  ＨＯ）が生じた状況の一例を示す図である。
【００７７】
図４は、本発明の実施の形態に係る無線通信システムにおける、不適切なハンドオーバ動作（Ｔｏｏ  Ｌａｔｅ  ＨＯ）およびその検出処理のシーケンスの一例を示す図である。
【００７８】
”Ｔｏｏ  Ｌａｔｅ  ＨＯ”は、たとえば以下のような場合をいう。すなわち、ハンドオーバが始まる前、あるいはハンドオーバ処理の最中に、ハンドオーバ元の無線基地局装置について無線リンク断（ＲＬＦ：Radio Link Failure）が発生し、かつハンドオーバ元の無線基地局装置以外の無線基地局装置に対する無線端末装置２０２の接続再確立が生じた場合である。
【００７９】
”Ｔｏｏ  Ｌａｔｅ  ＨＯ”の検出方法は、たとえば以下のようになる。すなわち、無線端末装置２０２が無線基地局装置１０１ＡについてＲＬＦを起こした後に無線基地局装置１０１Ｂに対して無線リンクを再確立した場合、無線基地局装置１０１Ｂが無線基地局装置１０１Ａに対してＲＬＦ通知を送信する。これにより、無線基地局装置１０１Ａは”Ｔｏｏ  Ｌａｔｅ  ＨＯ”を検出する。
【００８０】
ここでは、図３に示すように、無線端末装置２０２は、セルＣＡ内に位置し、無線基地局装置１０１Ａと通信中である場合を想定する。
【００８１】
図３および図４を参照して、まず、無線端末装置２０２は、各無線基地局装置から送信される無線信号の受信電力を測定し、測定した受信電力の測定結果を示す測定結果通知を無線基地局装置１０１Ａへ送信する（ステップＳ５１）。
【００８２】
次に、無線基地局装置１０１Ａは、無線端末装置２０２から受信した測定結果通知に基づいて、当該無線端末装置２０２のハンドオーバを行なうべきか否かを判断する。無線基地局装置１０１Ａは、当該無線端末装置２０２のハンドオーバを行なうべきであると判断すると、周辺セル情報を参照してたとえば無線基地局装置１０１Ｂをハンドオーバ先として決定する（ステップＳ５２）。
【００８３】
次に、無線基地局装置１０１Ａは、無線基地局装置１０１Ｂを示すハンドオーバ要求を、基地局間インタフェースであるＸ２インタフェース経由で無線基地局装置１０１Ｂへ送信する（ステップＳ５３）。
【００８４】
次に、無線基地局装置１０１Ｂは、無線基地局装置１０１Ａからハンドオーバ要求を受信して、無線基地局装置１０１Ａへ当該ハンドオーバ要求に対するハンドオーバ応答をＸ２インタフェース経由で送信する（ステップＳ５４）。
【００８５】
ここで、ネットワーク側のハンドオーバの準備中、すなわち無線基地局装置１０１Ａおよび１０１Ｂが上記のようなハンドオーバのためのメッセージの送受信を行っている間に、無線端末装置２０２が、セルＣＡの圏外、かつセルＣＢの圏内に移動する（ステップＳ５５）。
【００８６】
この無線端末装置２０２の移動により、無線基地局装置１０１Ａから送信されるハンドオーバを指示するためのＲＲＣコネクション再構成指示（ステップＳ５６）が無線端末装置２０２に届かなくなり、ＲＬＦが発生してしまう（ステップＳ５７）。
【００８７】
次に、無線端末装置２０２は、ＲＬＦ発生を検出すると、無線信号の受信電力の測定等によって周辺の無線基地局装置の探索を行ない、探索した無線基地局装置１０１Ｂに再接続するために、ＲＲＣコネクション再確立要求（RRC Connection Reestablishment Request）を送信する（ステップＳ５８）。
【００８８】
次に、無線基地局装置１０１Ｂは、無線端末装置２０２からＲＲＣコネクション再確立要求を受信して、ＲＲＣコネクション再確立応答を無線端末装置２０２へ送信する（ステップＳ５９）。これにより、無線端末装置２０２および無線基地局装置１０１Ｂ間でＲＲＣコネクションが確立される。
【００８９】
次に、無線端末装置２０２は、無線基地局装置１０１ＢへＲＲＣコネクション再確立完了通知（RRC Connection Reestablishment Complete）を送信する（ステップＳ６０）。
【００９０】
このＲＲＣコネクション再確立完了通知は、たとえば”rlf-InfoAvailable”というパラメータを含む。無線端末装置２０２は、このパラメータを設定してＲＲＣコネクション再確立完了通知を送信する。これにより、無線基地局装置１０１Ｂは、当該無線端末装置２０２についてＲＬＦの発生があったことを認識する。無線基地局装置１０１Ｂは、ＲＬＦの詳細な情報を取得するため、端末情報要求（UE Information Request）を無線端末装置２０２へ送信する（ステップＳ６１）。
【００９１】
次に、無線端末装置２０２は、無線基地局装置１０１Ｂから端末情報要求を受信して、ＲＬＦレポートを含む端末情報応答（UE Information Response）を無線基地局装置１０１Ｂへ送信する（ステップＳ６２）。ＲＬＦレポートは、ＲＬＦの発生した無線基地局装置のＰＣＩ（Physical Cell ID）、ＲＲＣコネクション再確立の発生した無線基地局装置のＰＣＩおよびＥＣＧＩ（E- UTRAN Cell Global Identifier）ならびに自己の無線端末装置２０２のＣ−ＲＮＴＩ（Cell Radio Network Temporary Identifier）等を含む。ここでは、ＲＬＦ発生のＰＣＩは無線基地局装置１０１ＡのＩＤであり、ＲＲＣコネクション再確立発生のＰＣＩおよびＥＣＧＩは無線基地局装置１０１ＢのＩＤであり、Ｃ−ＲＮＴＩは無線基地局装置１０１Ａが付与したＩＤである。
【００９２】
次に、無線基地局装置１０１Ｂは、無線端末装置２０２から受信したＲＬＦレポートのＰＣＩを参照することにより、無線基地局装置１０１ＡにおいてＲＬＦが発生したことを認識する。そして、無線基地局装置１０１Ｂは、”Ｔｏｏ  Ｌａｔｅ  ＨＯ”であることを通知するために、当該ＲＬＦレポートの内容を含むＲＬＦ通知（RLF INDICATION）をＸ２インタフェース経由で無線基地局装置１０１Ａへ送信する（ステップＳ６３）。
【００９３】
次に、無線基地局装置１０１Ａは、無線基地局装置１０１Ｂから受信したＲＬＦ通知のＰＣＩ、ＥＣＧＩおよびＣ−ＲＮＴＩを参照することにより、セルＣＢへの”Ｔｏｏ  Ｌａｔｅ  ＨＯ”が発生したことを認識する（ステップＳ６４）。
【００９４】
次に、無線基地局装置１０１Ａは、セルＣＢへの”Ｔｏｏ  Ｌａｔｅ  ＨＯ”の発生が抑制されるように、ハンドオーバ動作の最適化処理を実行する（ステップＳ６５）。
【００９５】
図５および図６は、本発明の実施の形態に係る無線通信システムにおいて、不適切なハンドオーバ動作（Ｔｏｏ  Ｅａｒｌｙ  ＨＯ）が生じた状況の一例を示す図である。
【００９６】
図５および図６を参照して、無線基地局装置１０１Ｂの形成するセルＣＢは、無線基地局装置１０１Ｂの設置エリアを含むセルＣＢ１と、セルＣＡ内に形成された、無線基地局装置１０１Ｂの設置エリアを含まないセルＣＢ２とで構成される。
【００９７】
図７は、本発明の実施の形態に係る無線通信システムにおける、不適切なハンドオーバ動作（Ｔｏｏ  Ｅａｒｌｙ  ＨＯ）およびその検出処理のシーケンスの一例を示す図である。
【００９８】
”Ｔｏｏ  Ｅａｒｌｙ  ＨＯ”は、たとえば以下のような場合をいう。すなわち、無線端末装置２０２がハンドオーバ先の無線基地局装置に対する接続を成功した後、ＲＬＦが短時間で発生し、かつ、ハンドオーバ元の無線基地局装置に対して、当該無線端末装置２０２の接続再確立が生じた場合である。
【００９９】
”Ｔｏｏ  Ｅａｒｌｙ  ＨＯ”の検出方法は、たとえば以下のようになる。すなわち、ハンドオーバ先の無線基地局装置１０１Ｂは、ＲＬＦレポートをハンドオーバ元の無線基地局装置１０１Ａから受信した場合において、当該受信タイミングからさかのぼって所定時間内に、当該無線端末装置２０２の自己へのハンドオーバの完了による端末情報解放指示を無線基地局装置１０１Ａへ送信していたときに、”Ｔｏｏ  Ｅａｒｌｙ  ＨＯ”である旨を無線基地局装置１０１Ａに通知する。
【０１００】
ここで、無線基地局装置１０１Ｂは、上記所定時間を計測するために、タイマを用いる。これにより、無線基地局装置１０１Ｂは、ＲＬＦレポートを受信した場合において、自己の”Ｔｏｏ  Ｌａｔｅ  ＨＯ”によってＲＬＦが発生したのか、無線基地局装置１０１Ａの”Ｔｏｏ  Ｅａｒｌｙ  ＨＯ”によってＲＬＦが発生したのかを判別することができる。
【０１０１】
ここでは、図５に示すように、無線端末装置２０２が、セルＣＡ内に位置し、無線基地局装置１０１Ａと通信中である状態から、セルＣＢ２内へ移動した場合（ステップＳ７０）を想定する。
【０１０２】
図５〜図７を参照して、まず、無線端末装置２０２は、無線基地局装置から送信される無線信号の受信電力を測定し、測定した受信電力の測定結果を示す測定結果通知を無線基地局装置１０１Ａ（Source eNB, Serving eNB)へ送信する（ステップＳ７１）。
【０１０３】
次に、無線基地局装置１０１Ａは、無線端末装置２０２から受信した測定結果通知に基づいて、当該無線端末装置２０２のハンドオーバを行なうべきか否かを判断する。無線基地局装置１０１Ａは、当該無線端末装置２０２のハンドオーバを行なうべきであると判断すると、周辺セル情報を参照してたとえば無線基地局装置１０１Ｂをハンドオーバ先として決定する（ステップＳ７２）。
【０１０４】
次に、無線基地局装置１０１Ａは、無線基地局装置１０１Ｂを示すハンドオーバ要求を、基地局間インタフェースであるＸ２インタフェース経由で無線基地局装置１０１Ｂへ送信する（ステップＳ７３）。
【０１０５】
次に、無線基地局装置１０１Ｂは、無線基地局装置１０１Ａからハンドオーバ要求を受信して、無線基地局装置１０１Ａへ当該ハンドオーバ要求に対するハンドオーバ応答をＸ２インタフェース経由で送信する（ステップＳ７４）。
【０１０６】
次に、無線基地局装置１０１Ａは、無線基地局装置１０１Ｂからハンドオーバ応答を受信して、無線端末装置２０２へＲＲＣコネクション再構成指示（RRC Connection Reconfiguration）を送信する（ステップＳ７５）。
【０１０７】
次に、無線端末装置２０２および無線基地局装置１０１Ｂ間でＲＲＣコネクションが確立されると、無線端末装置２０２は、ＲＲＣコネクション再構成完了通知（RRC Connection Reconfiguration Complete）を無線基地局装置１０１Ｂへ送信する（ステップＳ７６）。
【０１０８】
次に、無線基地局装置１０１Ｂは、無線端末装置２０２からＲＲＣコネクション再構成完了通知を受信して、端末情報解放指示を無線基地局装置１０１Ａへ送信する（ステップＳ７７）。
【０１０９】
また、無線基地局装置１０１Ｂは、無線端末装置２０２のセルＣＢにおける滞在時間を計測するために、タイマをスタートさせる（ステップＳ７８）。
【０１１０】
次に、無線基地局装置１０１Ａは、無線基地局装置１０１Ｂから端末情報解放指示を受信して、無線端末装置２０２に関する情報（UE Context）を解放する（ステップＳ７９）。
【０１１１】
以上により、無線端末装置２０２の無線基地局装置１０１Ａから無線基地局装置１０１Ｂへのハンドオーバが完了する（ステップＳ８０）。
【０１１２】
ここで、無線端末装置２０２が、測定結果通知（Measurement Report）を無線基地局装置１０１Ｂへ送信する前に、セルＣＢの圏外かつセルＣＡの圏内に移動する（ステップＳ８１）。
【０１１３】
そうすると、無線端末装置２０２は、無線基地局装置１０１Ｂと通信できなくなることから、ＲＬＦが発生してしまう（ステップＳ８３）。
【０１１４】
次に、無線端末装置２０２は、ＲＬＦ発生を検出すると、無線信号の受信電力の測定等によって周辺の無線基地局装置の探索を行ない、探索した無線基地局装置１０１Ａに再接続するために、ＲＲＣコネクション再確立要求（RRC Connection Reestablishment Request）を送信する（ステップＳ８４）。
【０１１５】
次に、無線基地局装置１０１Ａは、当該無線端末装置２０２に関する情報（UE Context）を解放済みであり、保持していないことから、当該無線端末装置２０２からのＲＲＣコネクション再確立要求を受け入れることができず（ステップＳ８５）、ＲＲＣコネクション再確立拒絶を当該無線端末装置２０２へ送信する（ステップＳ８６）。
【０１１６】
次に、無線端末装置２０２は、ＲＲＣコネクション再確立拒絶を無線基地局装置１０１Ａから受信すると、無線基地局装置１０１Ａと通常の接続手順をスタートさせる（ステップＳ８７）。
【０１１７】
すなわち、まず、無線端末装置２０２は、ＲＲＣコネクション要求（RRC Connection Request）を無線基地局装置１０１Ａへ送信する（ステップＳ８８）。
【０１１８】
次に、無線基地局装置１０１Ａは、無線端末装置２０２からＲＲＣコネクション要求を受信して、ＲＲＣコネクション情報（RRC Connection Setup）を無線端末装置２０２へ送信する（ステップＳ８９）。
【０１１９】
次に、無線端末装置２０２は、無線基地局装置１０１ＡからＲＲＣコネクション情報を受信して、ＲＲＣコネクション完了通知（RRC Connection Setup Complete）を送信する（ステップＳ９０）。
【０１２０】
次に、無線基地局装置１０１Ａは、無線端末装置２０２からＲＲＣコネクション完了通知を受信して、セキュリティ情報（Security Mode Command）を無線端末装置２０２へ送信する（ステップＳ９１）。
【０１２１】
次に、無線端末装置２０２は、無線基地局装置１０１Ａからセキュリティ情報を受信して、セキュリティ完了通知（Security Mode Complete）を無線基地局装置１０１Ａへ送信する（ステップＳ９２）。
【０１２２】
次に、無線基地局装置１０１Ａは、無線端末装置２０２へＲＲＣコネクション再構成指示（RRC Connection Reconfiguration）を送信する（ステップＳ９３）。
【０１２３】
次に、無線端末装置２０２および無線基地局装置１０１Ａ間でＲＲＣコネクションが確立されると、無線端末装置２０２は、無線基地局装置１０１ＡへＲＲＣコネクション再構成完了通知（RRC Connection Reconfiguration Complete）を送信する（ステップＳ９４）。
【０１２４】
ここで、ＲＲＣコネクション完了通知およびＲＲＣコネクション再構成完了通知は、たとえば”rlf-InfoAvailable”というパラメータを含む。無線端末装置２０２は、このパラメータを設定してＲＲＣコネクション完了通知およびＲＲＣコネクション再構成完了通知を送信する。これにより、無線基地局装置１０１Ａは、当該無線端末装置２０２についてＲＬＦの発生があったことを認識する。無線基地局装置１０１Ａは、ＲＬＦの詳細な情報を取得するため、端末情報要求（UE Information Request）を無線端末装置２０２へ送信する（ステップＳ９５）。
【０１２５】
次に、無線端末装置２０２は、無線基地局装置１０１Ａから端末情報要求を受信して、ＲＬＦレポートを含む端末情報応答（UE Information Response）を無線基地局装置１０１Ａへ送信する（ステップＳ９６）。ＲＬＦレポートは、ＲＬＦの発生した無線基地局装置のＰＣＩ、ＲＲＣコネクション再確立の発生した無線基地局装置のＰＣＩおよびＥＣＧＩならびに自己の無線端末装置２０２のＣ−ＲＮＴＩを含む。ここでは、ＲＬＦ発生のＰＣＩは無線基地局装置１０１ＢのＩＤであり、ＲＲＣコネクション再確立発生のＰＣＩおよびＥＣＧＩは無線基地局装置１０１ＡのＩＤであり、Ｃ−ＲＮＴＩは無線基地局装置１０１Ｂが付与したＩＤである。
【０１２６】
次に、無線基地局装置１０１Ａは、無線端末装置２０２から受信したＲＬＦレポートのＰＣＩを参照することにより、無線基地局装置１０１ＢにおいてＲＬＦが発生しことを認識し、セルＣＡへの”Ｔｏｏ  Ｌａｔｅ  ＨＯ”が発生したと判断する（ステップＳ９７）。
【０１２７】
次に、無線基地局装置１０１Ａは、”Ｔｏｏ  Ｌａｔｅ  ＨＯ”であることを通知するために、当該ＲＬＦレポートの内容を含むＲＬＦ通知（RLF INDICATION）をＸ２インタフェース経由で無線基地局装置１０１Ｂへ送信する（ステップＳ９８）。
【０１２８】
次に、無線基地局装置１０１Ｂは、無線基地局装置１０１ＡからＲＬＦ通知を受信すると、スタートさせておいたタイマを確認し、タイマが動作している場合、すなわちタイマをスタートさせてから所定時間経過していない場合には、セルＣＡへの”Ｔｏｏ  Ｌａｔｅ  ＨＯ”ではなく、セルＣＢへの”Ｔｏｏ  Ｅａｒｌｙ  ＨＯ”であると判断する。なお、無線基地局装置１０１Ｂは、無線基地局装置１０１ＡからＲＬＦ通知を受信したときにタイマが動作していない場合、すなわちタイマをスタートさせてから上記所定時間経過している場合には、セルＣＡへの”Ｔｏｏ  Ｌａｔｅ  ＨＯ”であると判断する。
【０１２９】
無線基地局装置１０１Ｂは、セルＣＢへの”Ｔｏｏ  Ｅａｒｌｙ  ＨＯ”であると判断すると（ステップＳ９９）、ハンドオーバレポートを無線基地局装置１０１Ａへ送信する（ステップＳ１００）。このハンドオーバレポートは、たとえば”Ｈａｎｄｏｖｅｒ  Ｒｅｐｏｒｔ  Ｔｙｐｅ”というパラメータを含む。無線基地局装置１０１Ｂは、このパラメータを所定値に設定することにより、”Ｔｏｏ  Ｅａｒｌｙ  ＨＯ”を無線基地局装置１０１Ａに通知する。
【０１３０】
次に、無線基地局装置１０１Ａは、無線基地局装置１０１Ｂから当該ハンドオーバレポートを受信して、セルＣＢへの”Ｔｏｏ  Ｅａｒｌｙ  ＨＯ”が発生したことを認識し（ステップＳ１０１）、”Ｔｏｏ  Ｅａｒｌｙ  ＨＯ”の発生が抑制されるように、ハンドオーバ動作の最適化処理を実行する（ステップＳ１０２）。
【０１３１】
図８は、本発明の実施の形態に係る無線通信システムにおいて、不適切なハンドオーバ動作（ＨＯ  ｔｏ  Ｗｒｏｎｇ  Ｃｅｌｌ）が生じた状況の一例を示す図である。
【０１３２】
図８を参照して、無線通信システムは、図１に示す無線通信システムと比べて、さらに、無線基地局装置１０１Ｃを備える。無線基地局装置１０１Ｃは、たとえばフェムト基地局、ピコ基地局またはマクロ基地局である。
【０１３３】
無線基地局装置１０１Ｃは、セルＣＣを形成し、セルＣＣ内に存在する無線端末装置２０２と無線信号を送受信することにより、当該無線端末装置２０２と通信することが可能である。
【０１３４】
図９は、本発明の実施の形態に係る無線通信システムにおける、不適切なハンドオーバ動作（ＨＯ  ｔｏ  Ｗｒｏｎｇ  Ｃｅｌｌ）およびその検出処理のシーケンスの一例を示す図である。
【０１３５】
”ＨＯ  ｔｏ  Ｗｒｏｎｇ  Ｃｅｌｌ”は、たとえば以下のような場合をいう。すなわち、無線端末装置２０２がハンドオーバ先の無線基地局装置との接続に成功した後、短時間でＲＬＦが発生し、かつハンドオーバ元およびハンドオーバ先の無線基地局装置以外の無線基地局装置に対する、無線端末装置２０２の接続再確立が生じた場合である。
【０１３６】
”ＨＯ  ｔｏ  Ｗｒｏｎｇ  Ｃｅｌｌ”の検出方法は、たとえば以下のようになる。すなわち、ハンドオーバ先の無線基地局装置１０１Ｂは、ＲＬＦレポートをハンドオーバ元の無線基地局装置１０１Ａ以外の無線基地局装置１０１Ｃから受信した場合において、当該受信タイミングからさかのぼって所定時間内に、当該無線端末装置２０２の自己へのハンドオーバの完了による端末情報解放指示を無線基地局装置１０１Ａへ送信していたときに、”ＨＯ  ｔｏ  Ｗｒｏｎｇ  Ｃｅｌｌ”である旨を無線基地局装置１０１Ａに通知する。
【０１３７】
ここで、無線基地局装置１０１Ｂは、上記所定時間を計測するために、タイマを用いる。これにより、無線基地局装置１０１Ｂは、ＲＬＦレポートを受信した場合において、自己の”Ｔｏｏ  Ｌａｔｅ  ＨＯ”によってＲＬＦが発生したのか、無線基地局装置１０１Ａの”ＨＯ  ｔｏ  Ｗｒｏｎｇ  Ｃｅｌｌ”によってＲＬＦが発生したのかを判別することができる。
【０１３８】
ここでは、図８に示すように、無線端末装置２０２が、セルＣＡ内に位置し、無線基地局装置１０１Ａと通信中である状態から、仮想セルＣＢＶおよびセルＣＡの重複領域へ移動した場合（ステップＳ１１０）を想定する。仮想セルＣＢＶは、無線基地局装置１０１Ａから無線基地局装置１０１Ｂへのハンドオーバを促進するために、パラメータであるオフセットＯＳＴに従ってセルＣＢから拡大された仮想的なセルである。この場合、オフセットＯＳＴは、無線基地局装置１０１Ａの保持するパラメータである。
【０１３９】
図８および図９を参照して、まず、無線端末装置２０２は、無線基地局装置から送信される無線信号の受信電力を測定し、測定した受信電力の測定結果を示す測定結果通知を無線基地局装置１０１Ａへ送信する（ステップＳ１１１）。
【０１４０】
次に、無線基地局装置１０１Ａは、無線端末装置２０２から受信した測定結果通知に基づいて、当該無線端末装置２０２のハンドオーバを行なうべきか否かを判断する。無線基地局装置１０１Ａは、当該無線端末装置２０２のハンドオーバを行なうべきであると判断すると、周辺セル情報を参照してたとえば無線基地局装置１０１Ｂをハンドオーバ先として決定する（ステップＳ１１２）。
【０１４１】
次に、無線基地局装置１０１Ａは、無線基地局装置１０１Ｂを示すハンドオーバ要求を、基地局間インタフェースであるＸ２インタフェース経由で無線基地局装置１０１Ｂへ送信する（ステップＳ１１３）。
【０１４２】
次に、無線基地局装置１０１Ｂは、無線基地局装置１０１Ａからハンドオーバ要求を受信して、無線基地局装置１０１Ａへ当該ハンドオーバ要求に対するハンドオーバ応答をＸ２インタフェース経由で送信する（ステップＳ１１４）。
【０１４３】
次に、無線基地局装置１０１Ａは、無線基地局装置１０１Ｂからハンドオーバ応答を受信して、無線端末装置２０２へＲＲＣコネクション再構成指示（RRC Connection Reconfiguration）を送信する（ステップＳ１１５）。
【０１４４】
次に、無線端末装置２０２および無線基地局装置１０１Ｂ間でＲＲＣコネクションが確立されると、無線端末装置２０２は、ＲＲＣコネクション再構成完了通知（RRC Connection Reconfiguration Complete）を無線基地局装置１０１Ｂへ送信する（ステップＳ１１６）。
【０１４５】
次に、無線基地局装置１０１Ｂは、無線端末装置２０２からＲＲＣコネクション再構成完了通知を受信して、端末情報解放指示を無線基地局装置１０１Ａへ送信する（ステップＳ１１７）。
【０１４６】
また、無線基地局装置１０１Ｂは、無線端末装置２０２のセルＣＢにおける滞在時間を計測するために、タイマをスタートさせる（ステップＳ１１８）。
【０１４７】
次に、無線基地局装置１０１Ａは、無線基地局装置１０１Ｂから端末情報解放指示を受信して、無線端末装置２０２に関する情報（UE Context）を解放する（ステップＳ１１９）。
【０１４８】
以上により、無線端末装置２０２の無線基地局装置１０１Ａから無線端末装置１０１Ｂへのハンドオーバが完了する（ステップＳ１２０）。
【０１４９】
ここで、無線端末装置２０２が、測定結果通知（Measurement Report）を無線基地局装置１０１Ｂへ送信する前に、セルＣＢの圏外、かつ仮想セルＣＢＶおよびセルＣＣの圏内に移動する（ステップＳ１２１）。
【０１５０】
そうすると、無線端末装置２０２は、無線基地局装置１０１Ｃ（Other eNB）から送信される無線信号の干渉が大きく、無線基地局装置１０１Ｂと通信できなくなることから、ＲＬＦが発生してしまう（ステップＳ１２３）。
【０１５１】
次に、無線端末装置２０２は、ＲＬＦ発生を検出すると、無線信号の受信電力の測定等によって周辺の無線基地局装置の探索を行なう。この場合、無線基地局装置１０１Ｃからの無線信号の受信電力が最大となることから、無線端末装置２０２は、探索した無線基地局装置１０１Ｃに再接続するために、ＲＲＣコネクション再確立要求（RRC Connection Reestablishment Request）を無線基地局装置１０１Ｃへ送信する（ステップＳ１２４）。
【０１５２】
次に、無線基地局装置１０１Ｃは、当該無線端末装置２０２に関する情報（UE Context）を保持していないことから、当該無線端末装置２０２からのＲＲＣコネクション再確立要求を受け入れることができず（ステップＳ１２５）、ＲＲＣコネクション再確立拒絶を当該無線端末装置２０２へ送信する（ステップＳ１２６）。
【０１５３】
次に、無線端末装置２０２は、ＲＲＣコネクション再確立拒絶を無線基地局装置１０１Ｃから受信して、無線基地局装置１０１Ｃと通常の接続手順をスタートさせる（ステップＳ１２７）。
【０１５４】
すなわち、まず、無線端末装置２０２は、ＲＲＣコネクション要求（RRC Connection Request）を無線基地局装置１０１Ｃへ送信する（ステップＳ１２８）。
【０１５５】
次に、無線基地局装置１０１Ｃは、無線端末装置２０２からＲＲＣコネクション要求を受信して、ＲＲＣコネクション情報（RRC Connection Setup）を無線端末装置２０２へ送信する（ステップＳ１２９）。
【０１５６】
次に、無線端末装置２０２は、無線基地局装置１０１ＣからＲＲＣコネクション情報を受信して、ＲＲＣコネクション完了通知（RRC Connection Setup Complete）を送信する（ステップＳ１３０）。
【０１５７】
次に、無線基地局装置１０１Ｃは、無線端末装置２０２からＲＲＣコネクション完了通知を受信して、セキュリティ情報（Security Mode Command）を無線端末装置２０２へ送信する（ステップＳ１３１）。
【０１５８】
次に、無線端末装置２０２は、無線基地局装置１０１Ｃからセキュリティ情報を受信して、セキュリティ完了通知（Security Mode Complete）を無線基地局装置１０１Ｃへ送信する（ステップＳ１３２）。
【０１５９】
次に、無線基地局装置１０１Ｃは、無線端末装置２０２へＲＲＣコネクション再構成指示（RRC Connection Reconfiguration）を送信する（ステップＳ１３３）。
【０１６０】
次に、無線端末装置２０２および無線基地局装置１０１Ｃ間でＲＲＣコネクションが確立されると、無線端末装置２０２は、無線基地局装置１０１ＣへＲＲＣコネクション再構成完了通知（RRC Connection Reconfiguration Complete）を送信する（ステップＳ１３４）。
【０１６１】
ここで、ＲＲＣコネクション完了通知およびＲＲＣコネクション再構成完了通知は、たとえば”rlf-InfoAvailable”というパラメータを含む。無線端末装置２０２は、このパラメータを設定してＲＲＣコネクション完了通知およびＲＲＣコネクション再構成完了通知を送信する。これにより、無線基地局装置１０１Ｃは、当該無線端末装置２０２についてＲＬＦの発生があったことを認識する。無線基地局装置１０１Ｃは、ＲＬＦの詳細な情報を取得するため、端末情報要求（UE Information Request）を無線端末装置２０２へ送信する（ステップＳ１３５）。
【０１６２】
次に、無線端末装置２０２は、無線基地局装置１０１Ｃから端末情報要求を受信して、ＲＬＦレポートを含む端末情報応答（UE Information Response）を無線基地局装置１０１Ｃへ送信する（ステップＳ１３６）。ＲＬＦレポートは、ＲＬＦの発生した無線基地局装置のＰＣＩ、ＲＲＣコネクション再確立の発生した無線基地局装置のＰＣＩおよびＥＣＧＩならびに自己の無線端末装置２０２のＣ−ＲＮＴＩを含む。ここでは、ＲＬＦ発生のＰＣＩは無線基地局装置１０１ＢのＩＤであり、ＲＲＣコネクション再確立発生のＰＣＩおよびＥＣＧＩは無線基地局装置１０１ＣのＩＤであり、Ｃ−ＲＮＴＩは無線基地局装置１０１Ｂが付与したＩＤである。
【０１６３】
次に、無線基地局装置１０１Ｃは、無線端末装置２０２から受信したＲＬＦレポートのＰＣＩを参照することにより、無線基地局装置１０１ＢにおいてＲＬＦが発生しことを認識し、セルＣＣへの”Ｔｏｏ  Ｌａｔｅ  ＨＯ”が発生したと判断する（ステップＳ１３７）。
【０１６４】
次に、無線基地局装置１０１Ｃは、”Ｔｏｏ  Ｌａｔｅ  ＨＯ”であることを通知するために、当該ＲＬＦレポートの内容を含むＲＬＦ通知（RLF INDICATION）をＸ２インタフェース経由で無線基地局装置１０１Ｂへ送信する（ステップＳ１３８）。
【０１６５】
次に、無線基地局装置１０１Ｂは、無線基地局装置１０１ＣからＲＬＦ通知を受信すると、スタートさせておいたタイマを確認し、タイマが動作している場合、すなわちタイマをスタートさせてから所定時間経過していない場合には、セルＣＣへの”Ｔｏｏ  Ｌａｔｅ  ＨＯ”ではないと判断し、さらに、無線基地局装置１０１Ａ以外の無線基地局装置１０１ＣからＲＬＦ通知を受信したことから、セルＣＢへの”Ｔｏｏ  Ｅａｒｌｙ  ＨＯ”ではなく、セルＣＢへの”ＨＯ  ｔｏ  Ｗｒｏｎｇ  Ｃｅｌｌ”であると判断する。なお、無線基地局装置１０１Ｂは、無線基地局装置１０１ＣからＲＬＦ通知を受信したときにタイマが動作していない場合、すなわちタイマをスタートさせてから上記所定時間経過している場合には、セルＣＣへの”Ｔｏｏ  Ｌａｔｅ  ＨＯ”であると判断する。
【０１６６】
無線基地局装置１０１Ｂは、セルＣＢへの”ＨＯ  ｔｏ  Ｗｒｏｎｇ  Ｃｅｌｌ”であると判断すると（ステップＳ１３９）、ハンドオーバレポートを無線基地局装置１０１Ａへ送信する（ステップＳ１４０）。このハンドオーバレポートは、たとえば”Ｈａｎｄｏｖｅｒ  Ｒｅｐｏｒｔ  Ｔｙｐｅ”というパラメータを含む。無線基地局装置１０１Ｂは、このパラメータを所定値に設定することにより、”ＨＯ  ｔｏ  Ｗｒｏｎｇ  Ｃｅｌｌ”を無線基地局装置１０１Ａに通知する。
【０１６７】
次に、無線基地局装置１０１Ａは、無線基地局装置１０１Ｂから当該ハンドオーバレポートを受信して、セルＣＢへの”ＨＯ  ｔｏ  Ｗｒｏｎｇ  Ｃｅｌｌ”が発生したことを認識し（ステップＳ１４１）、”ＨＯ  ｔｏ  Ｗｒｏｎｇ  Ｃｅｌｌ”の発生が抑制されるように、ハンドオーバ動作の最適化処理を実行する（ステップＳ１４２）。
【０１６８】
以上のような”Ｔｏｏ  Ｌａｔｅ  ＨＯ”、”Ｔｏｏ  Ｅａｒｌｙ  ＨＯ”および”ＨＯ  ｔｏ  Ｗｒｏｎｇ  Ｃｅｌｌ”の他に、不適切なハンドオーバ動作として”Ｐｉｎｇ  Ｐｏｎｇ  ＨＯ”がある。
【０１６９】
これは、ある無線端末装置について、２つの無線基地局装置が互いに他の無線基地局装置へのハンドオーバを判断する場合である。この”Ｐｉｎｇ  Ｐｏｎｇ  ＨＯ”が発生すると、無線端末装置および無線基地局装置間の接続が切断されることはないが、当該無線端末装置についてはハンドオーバ動作のための処理が繰り返され、通話およびデータ通信を行なうことができなくなり、また、上位ネットワーク側の負荷が増大してしまう。
【０１７０】
［ハンドオーバ動作の制御パラメータ］
図１０は、本発明の実施の形態に係る無線通信システムにおける、無線端末装置の受信品質のシミュレーション結果を示す図である。
【０１７１】
図１０は、無線端末装置２０２が、時速３０ｋｍでピコ基地局付近を通過し、マクロ基地局付近を通過するまでの１００秒間における無線端末装置２０２のＲＳＳＩ（Received Signal Strength Indication）を示している。
【０１７２】
図１０において、グラフＧ１およびＧ３は、マクロ基地局から送信される無線信号のＲＳＳＩを示し、グラフＧ２およびＧ４は、ピコ基地局から送信される無線信号のＲＳＳＩを示している。また、グラフＧ１およびＧ２は、シャドウィング、すなわち無線端末装置２０２および他の物体間の相対的な位置変化に起因する、当該無線端末装置２０２における無線信号の受信電力の時間的な変化を考慮したシミュレーション結果であり、グラフＧ３およびＧ４は、シャドウィングを考慮しないシミュレーション結果である。
【０１７３】
図１０を参照して、無線端末装置２０２のピコ基地局からマクロ基地局へのハンドオーバの理想位置は、グラフの交点付近すなわち移動時間が約１７秒となる位置である。しかしながら、実際には、無線端末装置２０２の未来の通信環境を無線通信システムにおいて把握することは困難であるため、各種測定結果等に基づいてハンドオーバ動作のタイミングを調整することにより、ハンドオーバ動作の最適化を図ることが重要である。
【０１７４】
また、移動時間が１５秒から２０秒の期間では、各無線基地局装置からの無線信号の強弱が入り組んでいるため、たとえば”Ｔｏｏ  Ｅａｒｌｙ  ＨＯ”または”Ｐｉｎｇ  Ｐｏｎｇ  ＨＯ”が発生しやすくなる。また、移動時間が２０秒となるタイミング付近では、ピコ基地局からの無線信号の受信電力が急に小さくなり、マクロ基地局からの無線信号の受信電力が急に大きくなり、ＳＩＮＲ（Signal to Interference-plus-Noise Ratio）が急激に悪化するため、”Ｔｏｏ  Ｌａｔｅ  ＨＯ”が発生しやすくなる。
【０１７５】
ここで、３ＧＰＰで規定されたハンドオーバの最適化を図るＭＲＯ（Mobility Robustness Optimization）の評価関数をＹ＝ＭＲＯ（Ｘ）とすると、Ｙは、たとえば”Ｔｏｏ  Ｌａｔｅ  ＨＯ”の発生頻度、”Ｔｏｏ  Ｅａｒｌｙ  ＨＯ”の発生頻度、”ＨＯ  ｔｏ  Ｗｒｏｎｇ  Ｃｅｌｌ”の発生頻度、”Ｐｉｎｇ  Ｐｏｎｇ  ＨＯ”等の不必要なハンドオーバの発生頻度、またはＲＲＣコネクション情報を送信した直後すなわち無線端末装置２０２が無線基地局装置に接続された直後のハンドオーバの発生頻度である。
【０１７６】
また、たとえば、Ｘは、電力測定処理（Measurement）用のパラメータであり、ヒステリシスＨＳ：０ｄＢ〜＋１５ｄＢ、ＴＴＴ（Time to Trigger）：０ｍｓ〜５１２０ｍｓ、またはオフセットＯＳＴ（Cell Individual Offset）：−２４ｄＢ〜＋２４ｄＢである。あるいは、Ｘは、セル再選択処理用のパラメータである。
【０１７７】
たとえば、ヒステリシスＨＳおよびＴＴＴは後述するイベントごとに設定可能であり、オフセットＯＳＴはサービング基地局の形成するサービングセル、および周辺セルごとに設定可能である。
【０１７８】
ここでは、無線基地局装置は、無線端末装置２０２の上り送信負荷を軽減するために、測定結果通知（Measurement Report）を受信するとハンドオーバの判断を行なうものとする。すなわち、測定結果通知の送信タイミングとハンドオーバのタイミングとが対応するものとする。
【０１７９】
以下、測定結果通知を送信する各種イベントと電力測定処理のパラメータとの関係について説明する。
【０１８０】
図１１は、本発明の実施の形態に係る無線通信システムにおいて、無線端末装置が測定結果通知を送信するイベントＡ１を示す図である。図１１において、横軸は時間であり、縦軸は無線端末装置２０２における無線信号の受信電力またはＳＩＮＲであり、ＳＶＣはサービングセルの受信電力またはＳＩＮＲすなわちサービング基地局が送信する無線信号の受信電力またはＳＩＮＲである。
【０１８１】
図１１を参照して、イベントＡ１では、閾値Ｔｈに対して正負の方向にヒステリシスＨＳが設定される。
【０１８２】
無線端末装置２０２は、サービングセルの受信電力またはＳＩＮＲが（Ｔｈ＋ＨＳ）よりも大きくなると、レポートオン状態へ遷移する（タイミングＴ１）。
【０１８３】
そして、無線端末装置２０２は、受信電力またはＳＩＮＲが（Ｔｈ−ＨＳ）よりも大きい、という条件が満たされた状態でタイミングＴ１からＴＴＴ経過すると、測定結果通知を送信する（タイミングＴ２）。
【０１８４】
次に、無線端末装置２０２は、当該条件が満たされた状態でタイミングＴ２からＴＴＴ経過すると、測定結果通知を送信する（タイミングＴ３）。
【０１８５】
次に、無線端末装置２０２は、タイミングＴ３からＴＴＴ経過するまでに当該条件が満たされなくなると、測定結果通知を送信せず、レポートオフ状態へ遷移する（タイミングＴ４）。
【０１８６】
ここで、無線端末装置２０２は、レポートオン状態およびレポートオフ状態間の遷移とは無関係に、たとえば周期的に電力測定処理を行なっており、直近の測定結果を測定結果通知として送信する。また、たとえば、無線端末装置２０２は、受信電力およびＳＩＮＲの各々について独立にレポートオン状態およびレポートオフ状態間の遷移を行なう。すなわち、無線端末装置２０２は、受信電力およびＳＩＮＲの一方について条件を満たせば、測定結果通知を送信する。
【０１８７】
図１２は、本発明の実施の形態に係る無線通信システムにおいて、無線端末装置が測定結果通知を送信するイベントＡ２を示す図である。図の見方は図１１と同様である。
【０１８８】
図１２を参照して、イベントＡ２では、閾値Ｔｈに対して正負の方向にヒステリシスＨＳが設定される。
【０１８９】
無線端末装置２０２は、サービングセルの受信電力またはＳＩＮＲが（Ｔｈ−ＨＳ）よりも小さくなると、レポートオン状態へ遷移する（タイミングＴ１１）。
【０１９０】
そして、無線端末装置２０２は、受信電力またはＳＩＮＲが（Ｔｈ＋ＨＳ）よりも小さい、という条件が満たされた状態でタイミングＴ１１からＴＴＴ経過すると、測定結果通知を送信する（タイミングＴ１２）。
【０１９１】
次に、無線端末装置２０２は、当該条件が満たされた状態でタイミングＴ１２からＴＴＴ経過すると、測定結果通知を送信する（タイミングＴ１３）。
【０１９２】
次に、無線端末装置２０２は、タイミングＴ１３からＴＴＴ経過するまでに当該条件が満たされなくなると、測定結果通知を送信せず、レポートオフ状態へ遷移する（タイミングＴ１４）。
【０１９３】
図１３は、本発明の実施の形態に係る無線通信システムにおいて、無線端末装置が測定結果通知を送信するイベントＡ３を示す図である。図１３において、横軸は時間であり、縦軸は無線端末装置２０２における無線信号の受信電力またはＳＩＮＲであり、ＳＶＣはサービングセルの受信電力またはＳＩＮＲであり、ＮＢＣは周辺セルの受信電力またはＳＩＮＲすなわち周辺基地局が送信する無線信号の受信電力またはＳＩＮＲである。
【０１９４】
図１３を参照して、イベントＡ３では、サービングセルの受信電力またはＳＩＮＲに対してオフセットＯＳＴ１が正方向に設定されており、さらに、正負の方向にヒステリシスＨＳが設定される。また、周辺セルの受信電力またはＳＩＮＲに対してオフセットＯＳＴ２が正方向に設定される。
【０１９５】
無線端末装置２０２は、｛（周辺セルの受信電力またはＳＩＮＲ）＋ＯＳＴ２｝が｛（サービングセルの受信電力またはＳＩＮＲ）＋ＯＳＴ１＋ＨＳ｝よりも大きくなると、レポートオン状態へ遷移する（タイミングＴ２１）。
【０１９６】
そして、無線端末装置２０２は、｛（周辺セルの受信電力またはＳＩＮＲ）＋ＯＳＴ２｝が｛（サービングセルの受信電力またはＳＩＮＲ）＋ＯＳＴ１−ＨＳ｝よりも大きい、という条件が満たされた状態でタイミングＴ２１からＴＴＴ経過すると、測定結果通知を送信する（タイミングＴ２２）。
【０１９７】
次に、無線端末装置２０２は、当該条件が満たされた状態でタイミングＴ２２からＴＴＴ経過すると、測定結果通知を送信する（タイミングＴ２３）。
【０１９８】
次に、無線端末装置２０２は、タイミングＴ２３からＴＴＴ経過するまでに当該条件が満たされなくなると、測定結果通知を送信せず、レポートオフ状態へ遷移する（タイミングＴ２４）。
【０１９９】
図１４は、本発明の実施の形態に係る無線通信システムにおいて、無線端末装置が測定結果通知を送信するイベントＡ４を示す図である。図の見方は図１３と同様である。
【０２００】
図１４を参照して、イベントＡ４では、周辺セルの受信電力またはＳＩＮＲに対してオフセットＯＳＴが正方向に設定されており、閾値Ｔｈに対して正負の方向にヒステリシスＨＳが設定される。
【０２０１】
無線端末装置２０２は、｛（周辺セルの受信電力またはＳＩＮＲ）＋ＯＳＴ｝が（Ｔｈ＋ＨＳ）よりも大きくなると、レポートオン状態へ遷移する（タイミングＴ３１）。
【０２０２】
そして、無線端末装置２０２は、｛（周辺セルの受信電力またはＳＩＮＲ）＋ＯＳＴ｝が（Ｔｈ−ＨＳ）よりも大きい、という条件が満たされた状態でタイミングＴ３１からＴＴＴ経過すると、測定結果通知を送信する（タイミングＴ３２）。
【０２０３】
次に、無線端末装置２０２は、当該条件が満たされた状態でタイミングＴ３２からＴＴＴ経過すると、測定結果通知を送信する（タイミングＴ３３）。
【０２０４】
次に、無線端末装置２０２は、タイミングＴ３３からＴＴＴ経過するまでに当該条件が満たされなくなると、測定結果通知を送信せず、レポートオフ状態へ遷移する（タイミングＴ３４）。
【０２０５】
図１５は、本発明の実施の形態に係る無線通信システムにおいて、無線端末装置が測定結果通知を送信するイベントＡ５を示す図である。図の見方は図１３と同様である。
【０２０６】
図１５を参照して、イベントＡ５では、周辺セルの受信電力またはＳＩＮＲに対してオフセットＯＳＴが正方向に設定されており、閾値Ｔｈ１に対して正負の方向にヒステリシスＨＳ１が設定されており、閾値Ｔｈ２に対して正負の方向にヒステリシスＨＳ２が設定される。
【０２０７】
無線端末装置２０２は、サービングセルの受信電力またはＳＩＮＲが（Ｔｈ１−ＨＳ１）よりも小さくなり、かつ｛（周辺セルの受信電力またはＳＩＮＲ）＋ＯＳＴ｝が（Ｔｈ２＋ＨＳ２）よりも大きくなると、レポートオン状態へ遷移する（タイミングＴ４１）。
【０２０８】
そして、無線端末装置２０２は、サービングセルの受信電力またはＳＩＮＲが（Ｔｈ１＋ＨＳ１）よりも小さく、かつ｛（周辺セルの受信電力またはＳＩＮＲ）＋ＯＳＴ｝が（Ｔｈ２−ＨＳ２）よりも大きい、という条件が満たされた状態でタイミングＴ４１からＴＴＴ経過すると、測定結果通知を送信する（タイミングＴ４２）。
【０２０９】
次に、無線端末装置２０２は、タイミングＴ４２からＴＴＴ経過するまでに当該条件が満たされなくなると、測定結果通知を送信せず、レポートオフ状態へ遷移する（タイミングＴ４３）。
【０２１０】
以上のように、イベントＡ１〜Ａ５で説明したパラメータ、すなわちヒステリシスＨＳ、ＴＴＴおよびオフセットＯＳＴを調整すれば、無線端末装置２０２のハンドオーバ動作のタイミングを制御することが可能である。
【０２１１】
図１６は、本発明の実施の形態に係る無線通信システムにおいて、ヒステリシスＨＳの調整によるハンドオーバ動作のタイミング制御を示す図である。図１６は、イベントＡ３の場合を示す。
【０２１２】
図１６を参照して、ヒステリシスＨＳをゼロに設定した場合には、タイミングＴ５１においてレポ−トオン状態へ遷移し、タイミングＴ５３において測定結果通知が送信され、タイミングＴ５５においてレポートオフ状態へ遷移する。
【０２１３】
これに対して、ヒステリシスＨＳをゼロより大きく設定した場合には、タイミングＴ５１より後のタイミングＴ５２においてレポ−トオン状態へ遷移し、タイミングＴ５３より後のタイミングＴ５４において測定結果通知が送信され、タイミングＴ５５より後のタイミングＴ５６においてレポートオフ状態へ遷移する。
【０２１４】
すなわち、ヒステリシスＨＳを大きくすると、測定結果通知の送信タイミングすなわちハンドオーバ動作のタイミングを遅くすることができる。
【０２１５】
図１７は、本発明の実施の形態に係る無線通信システムにおいて、ＴＴＴの調整によるハンドオーバ動作のタイミング制御を示す図である。図１７は、イベントＡ３の場合を示す。
【０２１６】
図１７を参照して、ＴＴＴを小さく設定した場合には、タイミングＴ６２において測定結果通知が送信される。
【０２１７】
これに対して、ＴＴＴを大きく設定した場合には、タイミングＴ６１より後のタイミングＴ６３において測定結果通知が送信される。
【０２１８】
すなわち、ＴＴＴを大きくすると、測定結果通知の送信タイミングすなわちハンドオーバ動作のタイミングを遅くすることができる。
【０２１９】
図１８は、本発明の実施の形態に係る無線通信システムにおいて、オフセットＯＳＴの調整によるハンドオーバ動作のタイミング制御を示す図である。図１８は、イベントＡ３の場合を示す。
【０２２０】
図１８を参照して、オフセットＯＳＴをゼロに設定した場合には、タイミングＴ７１においてレポ−トオン状態へ遷移し、タイミングＴ７３において測定結果通知が送信され、タイミングＴ７６においてレポートオフ状態へ遷移する。
【０２２１】
これに対して、オフセットＯＳＴをゼロより小さく設定した場合には、タイミングＴ７１より後のタイミングＴ７２においてレポ−トオン状態へ遷移し、タイミングＴ７３より後のタイミングＴ７４において測定結果通知が送信され、タイミングＴ７６より前のタイミングＴ７５においてレポートオフ状態へ遷移する。
【０２２２】
すなわち、オフセットＯＳＴを小さくすると、測定結果通知の送信タイミングすなわちハンドオーバ動作のタイミングを遅くすることができる。また、レポートオフ状態からレポートオン状態への遷移が遅くなり、かつレポートオン状態からレポートオフ状態への遷移が早くなる。
【０２２３】
以上のように、ヒステリシスＨＳを大きくするか、ＴＴＴを大きくするか、あるいはオフセットＯＳＴを小さくすることにより、ハンドオーバ動作のタイミングが遅くなる。すなわち、無線端末装置２０２がサービング基地局に接続される時間が長くなることから、”Ｔｏｏ  Ｅａｒｌｙ  ＨＯ”、”ＨＯ  ｔｏ  Ｗｒｏｎｇ  Ｃｅｌｌ”および”Ｐｉｎｇ  Ｐｏｎｇ  ＨＯ”の発生頻度が減り、”Ｔｏｏ  Ｌａｔｅ  ＨＯ”の発生頻度が増えることになる。
【０２２４】
ここで、ヒステリシスＨＳ、ＴＴＴおよびオフセットＯＳＴを調整する効果の違いについて考察する。
【０２２５】
いずれのパラメータを調整しても、ハンドオーバのタイミングを調整することができるが、これらの効果は、干渉を含む地形、および無線端末装置の移動速度等によって異なる。
【０２２６】
ヒステリシスＨＳおよびオフセットＯＳＴを調整することは、セルを仮想的に大きくしたり小さくしたりして、ハンドオーバの行なわれる位置を調整することに相当する。たとえば、サービングセルのヒステリシスＨＳを大きくすることにより、無線信号の受信電力を大きく見せて、他セルへのハンドオーバが行なわれにくくする。また、周辺セルのオフセットＯＳＴを負の値に設定することにより、周辺セルからの無線信号の受信電力を小さく見せて、他セルへのハンドオーバが行なわれにくくする。
【０２２７】
また、ヒステリシスＨＳおよびオフセットＯＳＴは、無線端末装置の移動速度による影響を受けにくいパラメータである。
【０２２８】
ここで、無線基地局装置から無線端末装置２０２へ送信される測定開始要求（Measurement Configuration）およびＲＲＣコネクション再構成指示（RRC Connection Reconfiguration）には、たとえば、周辺セルごとにオフセットＯＳＴが設定され、イベントＡ１〜Ａ５のうちの少なくとも１つが設定され、設定イベントに対応するヒステリシスＨＳおよびＴＴＴが設定される。
【０２２９】
［無線基地局装置］
図１９は、本発明の実施の形態に係る無線基地局装置の構成を示す図である。
【０２３０】
図１９を参照して、無線基地局装置１０１は、アンテナ９１と、サーキュレータ９２と、無線受信部９３と、無線送信部９４と、信号処理部９５と、制御部９８とを備える。信号処理部９５は、受信信号処理部９６と、送信信号処理部９７とを含む。信号処理部９５および制御部９８は、ＣＰＵ（Central Processing Unit）またはＤＳＰ（Digital Signal Processor）等によって実現される。
【０２３１】
サーキュレータ９２は、アンテナ９１において受信された無線端末装置２０２からの無線信号を無線受信部９３へ出力し、また、無線送信部９４から受けた無線信号をアンテナ９１へ出力する。
【０２３２】
無線受信部９３は、サーキュレータ９２から受けた無線信号をベースバンド信号またはＩＦ（Intermediate Frequency）信号に周波数変換し、この周波数変換した信号をデジタル信号に変換して受信信号処理部９６へ出力する。
【０２３３】
受信信号処理部９６は、無線受信部９３から受けたデジタル信号に対してＣＤＭＡ（Code Division Multiple Access）方式における逆拡散等の信号処理を行ない、この信号処理後のデジタル信号の一部または全部を所定のフレームフォーマットに変換してコアネットワーク側へ送信する。
【０２３４】
送信信号処理部９７は、コアネットワーク側から受信した通信データを所定のフレームフォーマットに変換した通信データまたは自ら生成した通信データに対してＯＦＤＭ（Orthogonal Frequency Division Multiplex）方式におけるＩＦＦＴ（Inverse Fast Fourier Transform）等の信号処理を行ない、この信号処理後のデジタル信号を無線送信部９４へ出力する。
【０２３５】
無線送信部９４は、送信信号処理部９７から受けたデジタル信号をアナログ信号に変換し、変換したアナログ信号を無線信号に周波数変換してサーキュレータ９２へ出力する。
【０２３６】
制御部９８は、無線基地局装置１０１における各ユニットおよびコアネットワークとの間で各種情報をやり取りする。
【０２３７】
図３〜図９では、不適切なハンドオーバ動作およびその検出処理について説明した。これらの検出処理では、無線基地局装置間においてＸ２インタフェース経由で情報をやり取りすることにより、不適切なハンドオーバ動作を検出する。
【０２３８】
しかしながら、無線通信システムにおいて、Ｘ２インタフェースを備える無線基地局装置が設けられるとは限らず、無線基地局装置間で情報をやり取りすることができない場合がある。また、無線端末装置が、前述のようなパラメータ”rlf-InfoAvailable”をＲＲＣコネクション再確立完了通知に設定する機能を有していない場合がある。このような場合でも、不適切なハンドオーバ動作を検出可能な構成が望まれる。
【０２３９】
そこで、本発明の実施の形態に係る無線基地局装置では、以下のような構成および動作により、”Ｔｏｏ  Ｌａｔｅ  ＨＯ”を無線基地局装置単体で検出可能とする。
【０２４０】
図２０は、本発明の実施の形態に係る無線基地局装置における制御部の構成を示す図である。
【０２４１】
図２０を参照して、制御部９８は、監視部１１と、時間計測部１２と、ハンドオーバ動作制御部１３と、電力情報取得部１４とを含む。
【０２４２】
監視部１１は、無線端末装置２０２からの所定情報の到着を予定し、所定情報の到着を監視する。
【０２４３】
時間計測部１２は、無線端末装置２０２による自己の無線基地局装置へのハンドオーバ動作が行なわれてから、無線端末装置２０２からの所定情報が監視部１１の予定に反して自己の無線基地局装置に到着しなくなるまでの通信継続時間を計測する。
【０２４４】
たとえば、時間計測部１２は、無線端末装置２０２による自己の無線基地局装置へのハンドオーバ動作が行なわれてから、無線端末装置２０２から定期的に送信される所定情報を所定時間以上自己の無線基地局装置が受信していない状態となるまでの時間を通信継続時間として計測する。
【０２４５】
具体的には、たとえば、監視部１１は、無線端末装置２０２による自己の無線基地局装置へのハンドオーバ動作が行なわれてから、無線端末装置２０２からの所定情報が到着した回数をカウントする。
【０２４６】
そして、時間計測部１２は、監視部１１によってカウントされた回数に基づいて通信継続時間を計測する。
【０２４７】
ハンドオーバ動作制御部１３は、時間計測部１２によって計測された通信継続時間が所定値以上の場合には、無線端末装置２０２による自己から他の無線基地局装置へのハンドオーバ動作のタイミングが早まるように制御する。
【０２４８】
電力情報取得部１４は、無線端末装置２０２における各無線基地局装置からの無線信号の受信電力の測定結果を示す受信電力情報を取得する。
【０２４９】
ハンドオーバ動作制御部１３は、電力情報取得部１４によって取得された受信電力情報に基づいて、無線端末装置２０２による自己から他の無線基地局装置へのハンドオーバ動作のタイミングを制御する。
【０２５０】
たとえば、本発明の実施の形態に係る無線基地局装置では、受信電力情報よりも短い周期で更新される情報、具体的には３ＧＰＰにおいて、最短で５ミリ秒周期の報告が可能なＣＱＩレポートを上記所定情報として利用することにより、無線端末装置２０２との通信状態の確認を行なう。ＣＱＩレポートは、レイヤ２スタックのＭＡＣ（Medium Access Control）またはＰＨＹ（Physical Layer）に対応する。
【０２５１】
ＣＱＩレポートは、無線端末装置２０２における自己の無線基地局装置からの無線信号の受信品質を示す。すなわち、ＣＱＩレポートは、直接現在の各セルにおける電波状況を通知するものではなく、ＳＩＮＲを用いた以下の式により０〜１５の１６段階で表現される値である。ＣＱＩ＝０の場合、無線端末装置２０２の受信品質が最も悪く、ＣＱＩ＝１５の場合、無線端末装置２０２の受信品質が最も良い。
ＣＱＩ＝ｍｉｎ（ｍａｘ（ｒｏｕｎｄ（（ＳＩＮＲ［ｄＢ］＋８）／１．８９２），０），１５）
【０２５２】
無線基地局装置１０１は、このＣＱＩレポートを用いて、変調方式および誤り訂正の符号化率等を設定する。ＣＱＩレポートの値が大きいほど、より多くの情報を伝送可能な設定が行なわれる。
【０２５３】
また、ＣＱＩレポートには、無線端末装置２０２から定期的に送信されるＰｅｒｉｏｄｉｃ  ＣＱＩと、無線端末装置２０２から不定期に送信されるＡｐｅｒｉｏｄｉｃ  ＣＱＩとがある。
【０２５４】
Ｐｅｒｉｏｄｉｃ  ＣＱＩでは、無線基地局装置１０１が報知情報を用いて無線端末装置２０２に報告周期等の情報を通知し、無線端末装置２０２は、この情報に基づいてＣＱＩレポートを無線基地局装置１０１に送信する。
【０２５５】
Ａｐｅｒｉｏｄｉｃ  ＣＱＩでは、無線基地局装置１０１が任意のタイミングで無線端末装置２０２に対してＣＱＩレポートの送信を要求し、無線端末装置２０２は、当該要求に応じてＣＱＩレポートを無線基地局装置１０１に送信する。具体的には、たとえば、無線基地局装置１０１は、物理チャネルであるＰＤＣＣＨのＤＣＩフォーマット０内にＣＱＩレポートを要求する情報を設定し、無線端末装置２０２は、当該要求を受信してから４サブフレームすなわち４ｍ秒後にＣＱＩレポートを無線基地局装置１０１へ送信する。
【０２５６】
［Ｔｏｏ  Ｌａｔｅ  ＨＯの検出処理］
ここでは、本発明の実施の形態に係る無線基地局装置が”Ｔｏｏ  Ｌａｔｅ  ＨＯ”の検出処理を行なう際の動作について詳細に説明する。
【０２５７】
図２１は、本発明の実施の形態に係る無線基地局装置が”Ｔｏｏ  Ｌａｔｅ  ＨＯ”の検出処理およびハンドオーバタイミング制御処理を行なう際の動作手順の一例を定めたシーケンス図である。
【０２５８】
図２１を参照して、まず、無線基地局装置１０１におけるハンドオーバ動作制御部１３は、無線端末装置２０２が自己の無線基地局装置に接続中であるか否かを判断する（ステップＳ２０１）。ハンドオーバ動作制御部１３は、たとえば、無線端末装置２０２の電源がオフされ、電源オフシーケンスが正常に終了した場合には、当該無線端末装置２０２は自己の無線基地局装置と未接続の状態になるため（ステップＳ２０１でＮＯ）、当該無線端末装置２０２は検出処理の対象外とし、ハンドオーバ動作のタイミングを早める制御を行なわない（ステップＳ２１５）。
【０２５９】
一方、ハンドオーバ動作制御部１３は、無線端末装置２０２が自己の無線基地局装置に接続中である場合には（ステップＳ２０１でＹＥＳ）、無線端末装置２０２からたとえば定期的に送信されるＰｅｒｉｏｄｉｃ  ＣＱＩレポートの受信状況に基づいて、当該無線端末装置２０２との通信状態の確認を行なう（ステップＳ２０２）。
【０２６０】
すなわち、ハンドオーバ動作制御部１３は、ＣＱＩレポートを正常に受信できている場合には（ステップＳ２０２でＮＯ）、無線端末装置２０２との通信状態は正常であると判断し、ハンドオーバ動作のタイミングを早める制御を行なわない（ステップＳ２１５）。
【０２６１】
一方、ハンドオーバ動作制御部１３は、ＣＱＩレポートを所定時間以上受信できない場合には（ステップＳ２０２でＹＥＳ）、無線端末装置２０２との通信が途絶したと判断し、当該無線端末装置２０２による自己の無線基地局装置へのハンドオーバ動作が行なわれてからの過去のＣＱＩレポートの受信状況を確認する。なお、上記所定時間は、たとえばＣＱＩレポートの送信周期の複数回分が設定される（ステップＳ２０３）。
【０２６２】
すなわち、ハンドオーバ動作制御部１３は、無線端末装置２０２からのＣＱＩレポートの受信回数が所定回数未満である場合には（ステップＳ２０３でＮＯ）、”Ｔｏｏ  Ｅａｒｌｙ  ＨＯ”が発生した可能性があるため、ハンドオーバ動作のタイミングを早める制御を行なわない（ステップＳ２１５）。
【０２６３】
一方、ハンドオーバ動作制御部１３は、過去に無線端末装置２０２からのＣＱＩレポートを所定回数以上受信した場合には（ステップＳ２０３でＹＥＳ）、無線端末装置２０２からの受信電力情報の確認を行なう（ステップＳ２０４）。
【０２６４】
図２２は、本発明の実施の形態に係る無線通信システムにおいてカバレッジホールが発生した状態の一例を示す図である。
【０２６５】
図２２を参照して、無線端末装置２０２が、セルＣＡ内に位置し、無線基地局装置１０１Ａと通信中である状態から、無線基地局装置１０１Ｂへのハンドオーバ動作が行なわれる前にセルＣＢへ移動した場合、すなわち”Ｔｏｏ  Ｌａｔｅ  ＨＯ”が発生した場合には、セルＣＢからの干渉により無線端末装置２０２においてＲＬＦが発生する。
【０２６６】
この場合、無線基地局装置１０１Ａから無線基地局装置１０１Ｂを含む他の無線基地局装置へのハンドオーバ動作のタイミングを早めることにより、”Ｔｏｏ  Ｌａｔｅ  ＨＯ”の発生を抑制することができる。
【０２６７】
一方、無線端末装置２０２が、セルＣＡ内に位置し、無線基地局装置１０１Ａと通信中である状態から、どの無線基地局装置とも通信できないカバレッジホールＣＨへ移動した場合にも、無線端末装置２０２においてＲＬＦが発生する。
【０２６８】
この場合、無線基地局装置１０１Ａから他の無線基地局装置へのハンドオーバ動作のタイミングを早めても、カバレッジホールＣＨを解消することはできず、また、不適切なタイミング制御となる場合もある。
【０２６９】
そこで、無線基地局装置１０１は、無線端末装置２０２からのＣＱＩレポートが途絶える直前に取得された受信電力情報に基づいて、”Ｔｏｏ  Ｌａｔｅ  ＨＯ”とカバレッジホールとを区別する。
【０２７０】
すなわち、再び図２１を参照して、ハンドオーバ動作制御部１３は、受信電力情報における各セルの受信電力、すなわち自己の無線基地局装置の形成するセルおよび周辺基地局の形成する周辺セルの受信電力がすべて所定の閾値未満である場合には（ステップＳ２０４でＹＥＳ）、カバレッジホールに無線端末装置２０２が位置することによりＣＱＩレポートが途絶したと判断し（ステップＳ２０５）、ハンドオーバ動作のタイミングを早める制御を行なわない（ステップＳ２１５）。
【０２７１】
一方、ハンドオーバ動作制御部１３は、受信電力情報における各セルの受信電力のうち、少なくともいずれか１つが所定の閾値以上である場合には（ステップＳ２０４でＮＯ）、カバレッジホールによる通信の途絶ではないと判断し、無線端末装置２０２からの受信電力情報の確認をさらに行なう（ステップＳ２０６）。
【０２７２】
すなわち、ハンドオーバ動作制御部１３は、受信電力情報において、自己の無線基地局装置の形成するセルの受信電力が各周辺セルの受信電力より大きい場合には（ステップＳ２０６でＹＥＳ）、受信電力情報の報告周期が長いと判断し、当該周期を短くする調整を行なう一方で（ステップＳ２０７）、ハンドオーバ動作のタイミングを早める制御を行なわない（ステップＳ２１５）。すなわち、ハンドオーバ動作制御部１３は、受信電力情報からは無線端末装置２０２の電波環境が良いと判断できるにも関わらず、無線端末装置２０２からのＣＱＩレポートを受信できないことから、参照した受信電力情報は古い情報であると判断する。
【０２７３】
一方、ハンドオーバ動作制御部１３は、受信電力情報において、自己の無線基地局装置の形成するセルの受信電力が各周辺セルの受信電力以下である場合には（ステップＳ２０６でＮＯ）、無線端末装置２０２からのＣＱＩレポートが途絶える直前のＣＱＩレポートの確認を行なう（ステップＳ２０８）。
【０２７４】
図２３は、本発明の実施の形態に係る無線基地局装置によるＣＱＩレポートの確認方法の一例を示す図である。図２３において、横軸は時間であり、縦軸はＣＱＩレポートの値である。図２３は、１つの無線端末装置２０２からのＣＱＩレポートを示している。
【０２７５】
図２３を参照して、ハンドオーバ動作制御部１３は、無線端末装置２０２からのＣＱＩレポートが途絶えたことを検出すると、たとえば最後にＣＱＩレポートを受信したタイミングＴ１０１から遡ってタイミングＴ１００までの各ＣＱＩレポート値を取得し、これらの平均値を算出する。
【０２７６】
再び図２１を参照して、ハンドオーバ動作制御部１３は、算出したＣＱＩレポートの平均値が所定の閾値未満である場合、すなわちＣＱＩレポートが途絶える直前の無線端末装置２０２における電波環境が劣化していた場合には（ステップＳ２０８でＹＥＳ）、”Ｔｏｏ  Ｌａｔｅ  ＨＯ”が発生したと判断し（ステップＳ２０９）、”Ｔｏｏ  Ｌａｔｅ  ＨＯ”発生カウンタのカウント値を１増加させる（ステップＳ２１０）。
【０２７７】
このように、受信電力情報よりも短い周期で更新され、無線端末装置２０２における自己の無線基地局装置１０１からの無線信号の受信品質を示す受信品質情報すなわちＣＱＩレポートを用いる構成により、急激な電波環境の変化に追従して無線端末装置２０２における電波環境を正確に把握することができる。なお、ハンドオーバ動作制御部１３は、たとえば図２３に示すタイミングＴ１０１のＣＱＩレポート値のみを用いる構成であってもよい。
【０２７８】
一方、ハンドオーバ動作制御部１３は、算出したＣＱＩレポートの平均値が所定の閾値以上である場合、すなわちＣＱＩレポートが途絶える直前の無線端末装置２０２における電波環境が良い場合には（ステップＳ２０８でＮＯ）、無線端末装置２０２の移動速度の確認を行なう（ステップＳ２１１）。
【０２７９】
すなわち、ハンドオーバ動作制御部１３は、無線端末装置２０２の移動速度が所定の閾値以上である場合、すなわち無線端末装置２０２が高速移動している場合には（ステップＳ２１１でＮＯ）、”Ｔｏｏ  Ｌａｔｅ  ＨＯ”が発生したと判断する（ステップＳ２１２）。しかしながら、この場合、ハンドオーバ動作制御部１３は、”Ｔｏｏ  Ｌａｔｅ  ＨＯ”が発生した可能性もあるが、無線端末装置２０２の高速移動による影響も考えられるため、”Ｔｏｏ  Ｌａｔｅ  ＨＯ”発生カウンタのカウント値を０．５だけ増加させる（ステップＳ２１３）。
【０２８０】
一方、ハンドオーバ動作制御部１３は、無線端末装置２０２の移動速度が所定の閾値未満である場合、すなわち無線端末装置２０２が低速移動している場合には（ステップＳ２１１でＹＥＳ）、”Ｔｏｏ  Ｌａｔｅ  ＨＯ”が発生した可能性は低いと判断し、”Ｔｏｏ  Ｌａｔｅ  ＨＯ”発生カウンタのカウントアップを行なわない、すなわちハンドオーバ動作のタイミングを早める制御を行なわない（ステップＳ２１５）。
【０２８１】
また、この場合、ハンドオーバ動作制御部１３は、ＣＱＩレポートの送信周期が長いと判断し、当該周期を短くする調整を行なう。たとえば、ハンドオーバ動作制御部１３は、ＣＱＩレポートの送信周期を５ｍｓ未満に変更する（ステップＳ２１４）。
【０２８２】
ハンドオーバ動作制御部１３は、”Ｔｏｏ  Ｌａｔｅ  ＨＯ”発生カウンタのカウント値が所定値に達すると、”Ｔｏｏ  Ｌａｔｅ  ＨＯ”の発生が抑制されるように、ハンドオーバ動作の最適化処理を実行する。すなわち、ハンドオーバ動作制御部１３は、ハンドオーバ動作のタイミングが早くなるようにパラメータを設定する。具体的には、ヒステリシスＨＳを小さくするか、ＴＴＴを小さくするか、オフセットＯＳＴを大きくする。ハンドオーバ動作制御部１３は、以上のようなシーケンスを、たとえば定期的に実行する。
【０２８３】
なお、図２１に示すシーケンスにおいて、ハンドオーバ動作制御部１３は、ＣＱＩレポートの受信状況の確認（ステップＳ２０２およびＳ２０３）、受信電力情報によるカバレッジホールの確認（ステップＳ２０４）、受信電力情報によるその報告周期の確認（ステップＳ２０６）、ＣＱＩレポートの値の確認（ステップＳ２０８）、および無線端末装置２０２の移動速度の確認（ステップＳ２１１）の結果に基づいて、”Ｔｏｏ  Ｌａｔｅ  ＨＯ”を検出する構成であるとしたが、これに限定するものではない。ハンドオーバ動作制御部１３は、ＣＱＩレポートの受信状況の確認（ステップＳ２０２およびＳ２０３）のみで”Ｔｏｏ  Ｌａｔｅ  ＨＯ”を検出する構成であってもよい。
【０２８４】
また、ハンドオーバ動作制御部１３は、ＣＱＩレポートの受信状況の確認と、上記他の確認のいずれか１つとを組み合わせて”Ｔｏｏ  Ｌａｔｅ  ＨＯ”を検出する構成であってもよい。
【０２８５】
すなわち、ハンドオーバ動作制御部１３は、時間計測部１２によって計測された通信継続時間が所定値以上であり、かつ電力情報取得部１４によって取得された受信電力情報の示す各受信電力のうちの少なくともいずれか１つが所定値以上である場合に（ステップＳ２０４でＮＯに対応）、無線端末装置２０２による自己から他の無線基地局装置へのハンドオーバ動作のタイミングが早まるように制御する。
【０２８６】
あるいは、ハンドオーバ動作制御部１３は、時間計測部１２によって計測された通信継続時間が所定値以上であり、かつ電力情報取得部１４によって取得された受信電力情報において、自己の無線基地局装置からの無線信号の受信電力が他の無線基地局装置からの無線信号の受信電力よりも小さい場合に（ステップＳ２０６でＮＯに対応）、無線端末装置２０２による自己から他の無線基地局装置へのハンドオーバ動作のタイミングが早まるように制御する。
【０２８７】
あるいは、ハンドオーバ動作制御部１３は、時間計測部１２によって計測された通信継続時間が所定値以上であり、かつ過去に到着したＣＱＩレポートの示す受信品質が悪い場合には（ステップＳ２０８でＹＥＳに対応）、無線端末装置２０２による自己から他の無線基地局装置へのハンドオーバ動作のタイミングが早まるように制御する。一方、ハンドオーバ動作制御部１３は、過去に到着したＣＱＩレポートの示す受信品質が良い場合には（ステップＳ２０８でＮＯに対応）、上記ハンドオーバ動作のタイミングを早める制御を行なわないか、または上記ハンドオーバ動作のタイミングを早める制御を行なう判断基準となる”Ｔｏｏ  Ｌａｔｅ  ＨＯ”発生カウンタのカウント値を受信品質が悪い場合と比べて少なく増加または減少させる。
【０２８８】
あるいは、ハンドオーバ動作制御部１３は、時間計測部１２によって計測された通信継続時間が所定値以上であり、過去に到着したＣＱＩレポートの示す受信品質が良く、かつ無線端末装置２０２の移動速度が高い場合には（ステップＳ２１１でＮＯに対応）、上記ハンドオーバ動作のタイミングを早める制御を行なう判断基準となる”Ｔｏｏ  Ｌａｔｅ  ＨＯ”発生カウンタのカウント値を受信品質が悪い場合と比べて少なく増加または減少させる。
【０２８９】
一方、ハンドオーバ動作制御部１３は、時間計測部１２によって計測された通信継続時間が所定値以上であり、過去に到着したＣＱＩレポートの示す受信品質が良く、かつ無線端末装置２０２の移動速度が低い場合には（ステップＳ２１１でＹＥＳに対応）、上記ハンドオーバ動作のタイミングを早める制御を行なわない。
【０２９０】
ここで、ハンドオーバ動作制御部１３は、時間計測部１２によって計測された通信継続時間が所定値以上であり、かつ過去に到着したＣＱＩレポートの示す受信品質が良い場合において（ステップＳ２０８でＮＯに対応）、過去に到着したＣＱＩレポートの示す受信品質が悪い場合と比べて上記ハンドオーバ動作のタイミングを早める制御幅すなわちパラメータの変更幅を小さく設定する構成であってもよい。
【０２９１】
あるいは、ハンドオーバ動作制御部１３は、時間計測部１２によって計測された通信継続時間が所定値以上であり、過去に到着したＣＱＩレポートの示す受信品質が良く、かつ無線端末装置２０２の移動速度が高い場合には（ステップＳ２１１でＮＯに対応）、過去に到着したＣＱＩレポートの示す受信品質が悪い場合と比べて無線端末装置２０２による自己から他の無線基地局装置へのハンドオーバ動作のタイミングを早める制御幅すなわちパラメータの変更幅を小さく設定する構成であってもよい。
【０２９２】
あるいは、ハンドオーバ動作制御部１３は、時間計測部１２によって計測された通信継続時間が所定値以上であり、かつ無線端末装置２０２の移動速度が所定値未満の場合に、無線端末装置２０２による自己から他の無線基地局装置へのハンドオーバ動作のタイミングが早まるように制御する。
【０２９３】
また、ハンドオーバ動作制御部１３は、無線端末装置２０２から定期的に送信されるＰｅｒｉｏｄｉｃ  ＣＱＩレポートを用いる構成に限らず、無線基地局装置１０１からの要求に応じて無線端末装置２０２から送信されるＡｐｅｒｉｏｄｉｃ  ＣＱＩレポートを用いる構成であってもよい。
【０２９４】
この場合、時間計測部１２は、無線端末装置２０２による自己の無線基地局装置へのハンドオーバ動作が行なわれてから、自己の無線基地局装置が要求を行ってから所定時間以上Ａｐｅｒｉｏｄｉｃ  ＣＱＩレポートを受信していない状態となるまでの時間を通信継続時間として計測する。
【０２９５】
図２４は、本発明の実施の形態に係る無線基地局装置が”Ｔｏｏ  Ｌａｔｅ  ＨＯ”の検出処理およびハンドオーバタイミング制御処理を行なう際の動作手順の一例を定めたシーケンス図である。
【０２９６】
図２４を参照して、まず、無線基地局装置１０１におけるハンドオーバ動作制御部１３は、無線端末装置２０２が自己の無線基地局装置に接続中であるか否かを判断する（ステップＳ２２１）。ハンドオーバ動作制御部１３は、たとえば、無線端末装置２０２の電源がオフされ、電源オフシーケンスが正常に終了した場合には、当該無線端末装置２０２は自己の無線基地局装置と未接続の状態になるため（ステップＳ２２１でＮＯ）、当該無線端末装置２０２は検出処理の対象外とし、ハンドオーバ動作のタイミングを早める制御を行なわない（ステップＳ２３８）。
【０２９７】
一方、ハンドオーバ動作制御部１３は、無線端末装置２０２が自己の無線基地局装置に接続中である場合には（ステップＳ２２１でＹＥＳ）、無線端末装置２０２からたとえば不定期に送信されるＡｐｅｒｉｏｄｉｃ  ＣＱＩレポートの受信状況に基づいて、当該無線端末装置２０２との通信状態の確認を行なう。
【０２９８】
すなわち、ハンドオーバ動作制御部１３は、無線端末装置２０２に対してＣＱＩレポートの送信を要求する（ステップＳ２２２）。
【０２９９】
次に、ハンドオーバ動作制御部１３は、ＣＱＩレポートの送信を要求してからＣＱＩレポートが所定時間内に到着した場合には（ステップＳ２２３でＹＥＳ）、無線端末装置２０２との通信状態は正常であると判断し、当該ＣＱＩレポートの値を保持して（ステップＳ２２４）所定時間待機し（ステップＳ２２５）、その後、再び無線端末装置２０２に対してＣＱＩレポートの送信を要求する（ステップＳ２２２）。
【０３００】
一方、ハンドオーバ動作制御部１３は、ＣＱＩレポートの送信を要求してからＣＱＩレポートを所定時間以上受信できない場合には（ステップＳ２２３でＮＯ）、無線端末装置２０２との通信が途絶したと判断し、当該無線端末装置２０２による自己の無線基地局装置へのハンドオーバ動作が行なわれてからの過去のＣＱＩレポートの受信状況を確認する（ステップＳ２２６）。
【０３０１】
すなわち、ハンドオーバ動作制御部１３は、無線端末装置２０２からのＣＱＩレポートの受信回数が所定回数未満である場合には（ステップＳ２２６でＮＯ）、”Ｔｏｏ  Ｅａｒｌｙ  ＨＯ”が発生した可能性があるため、ハンドオーバ動作のタイミングを早める制御を行なわず、所定時間待機し（ステップＳ２２５）、その後、再び無線端末装置２０２に対してＣＱＩレポートの送信を要求する（ステップＳ２２２）。
【０３０２】
一方、ハンドオーバ動作制御部１３は、過去に無線端末装置２０２からのＣＱＩレポートを所定回数以上受信した場合には（ステップＳ２２６でＹＥＳ）、無線端末装置２０２からの受信電力情報の確認を行なう（ステップＳ２２７）。
【０３０３】
すなわち、ハンドオーバ動作制御部１３は、受信電力情報における各セルの受信電力、すなわち自己の無線基地局装置の形成するセルおよび周辺基地局の形成する周辺セルの受信電力がすべて所定の閾値未満である場合には（ステップＳ２２７でＹＥＳ）、カバレッジホールに無線端末装置２０２が位置することによりＣＱＩレポートが途絶したと判断し（ステップＳ２２８）、ハンドオーバ動作のタイミングを早める制御を行なわない（ステップＳ２３８）。
【０３０４】
一方、ハンドオーバ動作制御部１３は、受信電力情報における各セルの受信電力のうち、少なくともいずれか１つが所定の閾値以上である場合には（ステップＳ２２７でＮＯ）、カバレッジホールによる通信の途絶ではないと判断し、無線端末装置２０２からの受信電力情報の確認をさらに行なう（ステップＳ２２９）。
【０３０５】
すなわち、ハンドオーバ動作制御部１３は、受信電力情報において、自己の無線基地局装置の形成するセルの受信電力が各周辺セルの受信電力より大きい場合には（ステップＳ２２９でＹＥＳ）、受信電力情報の報告周期が長いと判断し、当該周期を短くする調整を行なう一方で（ステップＳ２３０）、ハンドオーバ動作のタイミングを早める制御を行なわない（ステップＳ２３８）。すなわち、ハンドオーバ動作制御部１３は、受信電力情報からは無線端末装置２０２の電波環境が良いと判断できるにも関わらず、無線端末装置２０２からのＣＱＩレポートを受信できないことから、参照した受信電力情報は古い情報であると判断する。
【０３０６】
一方、ハンドオーバ動作制御部１３は、受信電力情報において、自己の無線基地局装置の形成するセルの受信電力が各周辺セルの受信電力以下である場合には（ステップＳ２２９でＮＯ）、無線端末装置２０２からのＣＱＩレポートが途絶える直前のＣＱＩレポートの確認を行なう（ステップＳ２３１）。
【０３０７】
ハンドオーバ動作制御部１３は、当該ＣＱＩレポートの平均値等が所定の閾値未満である場合、すなわちＣＱＩレポートが途絶える直前の無線端末装置２０２における電波環境が劣化していた場合には（ステップＳ２３１でＹＥＳ）、”Ｔｏｏ  Ｌａｔｅ  ＨＯ”が発生したと判断し（ステップＳ２３２）、”Ｔｏｏ  Ｌａｔｅ  ＨＯ”発生カウンタのカウント値を１増加させる（ステップＳ２３３）。
【０３０８】
一方、ハンドオーバ動作制御部１３は、ＣＱＩレポートの値が所定の閾値以上である場合、すなわちＣＱＩレポートが途絶える直前の無線端末装置２０２における電波環境が良い場合には（ステップＳ２３１でＮＯ）、無線端末装置２０２の移動速度の確認を行なう（ステップＳ２３４）。
【０３０９】
すなわち、ハンドオーバ動作制御部１３は、無線端末装置２０２の移動速度が所定の閾値以上である場合、すなわち無線端末装置２０２が高速移動している場合には（ステップＳ２３４でＮＯ）、”Ｔｏｏ  Ｌａｔｅ  ＨＯ”が発生したと判断する（ステップＳ２３５）。しかしながら、この場合、ハンドオーバ動作制御部１３は、”Ｔｏｏ  Ｌａｔｅ  ＨＯ”が発生した可能性もあるが、無線端末装置２０２の高速移動による影響も考えられるため、”Ｔｏｏ  Ｌａｔｅ  ＨＯ”発生カウンタのカウント値を０．５だけ増加させる（ステップＳ２３６）。
【０３１０】
一方、ハンドオーバ動作制御部１３は、無線端末装置２０２の移動速度が所定の閾値未満である場合、すなわち無線端末装置２０２が低速移動している場合には（ステップＳ２３４でＹＥＳ）、”Ｔｏｏ  Ｌａｔｅ  ＨＯ”が発生した可能性は低いと判断し、”Ｔｏｏ  Ｌａｔｅ  ＨＯ”発生カウンタのカウントアップを行なわない、すなわちハンドオーバ動作のタイミングを早める制御を行なわない（ステップＳ２３８）。
【０３１１】
また、この場合、ハンドオーバ動作制御部１３は、ＣＱＩレポートの送信周期すなわち上記待機時間が長いと判断し、上記待機時間を短くする調整を行なう（ステップＳ２３７）。
【０３１２】
ハンドオーバ動作制御部１３は、”Ｔｏｏ  Ｌａｔｅ  ＨＯ”発生カウンタのカウント値が所定値に達すると、”Ｔｏｏ  Ｌａｔｅ  ＨＯ”の発生が抑制されるように、ハンドオーバ動作の最適化処理を実行する。すなわち、ハンドオーバ動作制御部１３は、ハンドオーバ動作のタイミングが早くなるようにパラメータを設定する。具体的には、ヒステリシスＨＳを小さくするか、ＴＴＴを小さくするか、オフセットＯＳＴを大きくする。ハンドオーバ動作制御部１３は、以上のようなシーケンスを、たとえば定期的に実行する。
【０３１３】
また、ハンドオーバ動作制御部１３は、ＣＱＩレポートを用いる構成に限らず、無線端末装置２０２から送信されるＨＡＲＱ（再送制御）のＡＣＫを用いる構成であってもよい。
【０３１４】
図２５は、本発明の実施の形態に係る無線基地局装置が”Ｔｏｏ  Ｌａｔｅ  ＨＯ”の検出処理およびハンドオーバタイミング制御処理を行なう際の動作手順の一例を定めたシーケンス図である。
【０３１５】
図２５を参照して、まず、無線基地局装置１０１におけるハンドオーバ動作制御部１３は、無線端末装置２０２が自己の無線基地局装置に接続中であるか否かを判断する（ステップＳ２４１）。ハンドオーバ動作制御部１３は、たとえば、無線端末装置２０２の電源がオフされ、電源オフシーケンスが正常に終了した場合には、当該無線端末装置２０２は自己の無線基地局装置と未接続の状態になるため（ステップＳ２４１でＮＯ）、当該無線端末装置２０２は検出処理の対象外とし、ハンドオーバ動作のタイミングを早める制御を行なわない（ステップＳ２５４）。
【０３１６】
一方、ハンドオーバ動作制御部１３は、無線端末装置２０２が自己の無線基地局装置に接続中である場合には（ステップＳ２４１でＹＥＳ）、無線端末装置２０２からたとえば不定期に送信されるＨＡＲＱ  ＡＣＫの受信状況に基づいて、当該無線端末装置２０２との通信状態の確認を行なう。
【０３１７】
すなわち、ハンドオーバ動作制御部１３は、ダミーパケットを無線端末装置２０２へ送信する（ステップＳ２４２）。
【０３１８】
次に、ハンドオーバ動作制御部１３は、ダミーパケットを無線端末装置２０２へ送信してからＨＡＲＱ  ＡＣＫが所定時間内に到着した場合には（ステップＳ２４３でＹＥＳ）、無線端末装置２０２との通信状態は正常であると判断して所定時間待機し（ステップＳ２４４）、その後、再びダミーパケットを無線端末装置２０２へ送信する（ステップＳ２４２）。
【０３１９】
一方、ハンドオーバ動作制御部１３は、ダミーパケットを無線端末装置２０２へ送信してからＨＡＲＱ  ＡＣＫを所定時間以上受信できない場合には（ステップＳ２４３でＮＯ）、無線端末装置２０２との通信が途絶したと判断し、当該無線端末装置２０２による自己の無線基地局装置へのハンドオーバ動作が行なわれてからの過去のＨＡＲＱ  ＡＣＫの受信状況を確認する（ステップＳ２４５）。
【０３２０】
すなわち、ハンドオーバ動作制御部１３は、無線端末装置２０２からのＨＡＲＱ  ＡＣＫの受信回数が所定回数未満である場合には（ステップＳ２４５でＮＯ）、”Ｔｏｏ  Ｅａｒｌｙ  ＨＯ”が発生した可能性があるため、ハンドオーバ動作のタイミングを早める制御を行なわず、所定時間待機し（ステップＳ２４４）、その後、再びダミーパケットを無線端末装置２０２へ送信する（ステップＳ２４２）。
【０３２１】
一方、ハンドオーバ動作制御部１３は、過去に無線端末装置２０２からのＨＡＲＱ  ＡＣＫを所定回数以上受信した場合には（ステップＳ２４５でＹＥＳ）、無線端末装置２０２からの受信電力情報の確認を行なう（ステップＳ２４６）。
【０３２２】
すなわち、ハンドオーバ動作制御部１３は、受信電力情報における各セルの受信電力、すなわち自己の無線基地局装置の形成するセルおよび周辺基地局の形成する周辺セルの受信電力がすべて所定の閾値未満である場合には（ステップＳ２４６でＹＥＳ）、カバレッジホールに無線端末装置２０２が位置することによりＨＡＲＱ  ＡＣＫが途絶したと判断し（ステップＳ２４７）、ハンドオーバ動作のタイミングを早める制御を行なわない（ステップＳ２５４）。
【０３２３】
一方、ハンドオーバ動作制御部１３は、受信電力情報における各セルの受信電力のうち、少なくともいずれか１つが所定の閾値以上である場合には（ステップＳ２４６でＮＯ）、カバレッジホールによる通信の途絶ではないと判断し、無線端末装置２０２からの受信電力情報の確認をさらに行なう（ステップＳ２４８）。
【０３２４】
すなわち、ハンドオーバ動作制御部１３は、受信電力情報において、自己の無線基地局装置の形成するセルの受信電力が各周辺セルの受信電力より大きい場合には（ステップＳ２４８でＹＥＳ）、受信電力情報の報告周期が長いと判断し、当該周期を短くする調整を行なう一方で（ステップＳ２４９）、ハンドオーバ動作のタイミングを早める制御を行なわない（ステップＳ２５４）。すなわち、ハンドオーバ動作制御部１３は、受信電力情報からは無線端末装置２０２の電波環境が良いと判断できるにも関わらず、無線端末装置２０２からのＨＡＲＱ  ＡＣＫを受信できないことから、参照した受信電力情報は古い情報であると判断する。
【０３２５】
一方、ハンドオーバ動作制御部１３は、受信電力情報において、自己の無線基地局装置の形成するセルの受信電力が各周辺セルの受信電力以下である場合には（ステップＳ２４８でＮＯ）、無線端末装置２０２の移動速度の確認を行なう（ステップＳ２５０）。
【０３２６】
すなわち、ハンドオーバ動作制御部１３は、無線端末装置２０２の移動速度が所定の閾値以上である場合、すなわち無線端末装置２０２が高速移動している場合には（ステップＳ２５０でＮＯ）、”Ｔｏｏ  Ｌａｔｅ  ＨＯ”が発生したと判断する（ステップＳ２５１）。しかしながら、この場合、ハンドオーバ動作制御部１３は、”Ｔｏｏ  Ｌａｔｅ  ＨＯ”が発生した可能性もあるが、無線端末装置２０２の高速移動による影響も考えられるため、”Ｔｏｏ  Ｌａｔｅ  ＨＯ”発生カウンタのカウント値を０．５だけ増加させる（ステップＳ２５２）。
【０３２７】
一方、ハンドオーバ動作制御部１３は、無線端末装置２０２の移動速度が所定の閾値未満である場合、すなわち無線端末装置２０２が低速移動している場合には（ステップＳ２５０でＹＥＳ）、”Ｔｏｏ  Ｌａｔｅ  ＨＯ”が発生した可能性は低いと判断し、”Ｔｏｏ  Ｌａｔｅ  ＨＯ”発生カウンタのカウントアップを行なわない、すなわちハンドオーバ動作のタイミングを早める制御を行なわない（ステップＳ２５４）。
【０３２８】
また、この場合、ハンドオーバ動作制御部１３は、ＨＡＲＱ  ＡＣＫの送信周期すなわち上記待機時間が長いと判断し、上記待機時間を短くする調整を行なう（ステップＳ２５３）。
【０３２９】
ハンドオーバ動作制御部１３は、”Ｔｏｏ  Ｌａｔｅ  ＨＯ”発生カウンタのカウント値が所定値に達すると、”Ｔｏｏ  Ｌａｔｅ  ＨＯ”の発生が抑制されるように、ハンドオーバ動作の最適化処理を実行する。すなわち、ハンドオーバ動作制御部１３は、ハンドオーバ動作のタイミングが早くなるようにパラメータを設定する。具体的には、ヒステリシスＨＳを小さくするか、ＴＴＴを小さくするか、オフセットＯＳＴを大きくする。ハンドオーバ動作制御部１３は、以上のようなシーケンスを、たとえば定期的に実行する。
【０３３０】
図２６は、本発明の実施の形態に係る無線基地局装置がハンドオーバ動作履歴を用いてハンドオーバタイミング制御処理を行なう際の動作手順の一例を定めたシーケンス図である。
【０３３１】
ハンドオーバ動作制御部１３は、さらに、ハンドオーバ動作のタイミング制御を行った回数、および無線端末装置２０２による自己から他の無線基地局装置へのハンドオーバ動作が成功した回数に基づいて、ハンドオーバ動作のタイミングが早まるように制御するか、またはハンドオーバ動作のタイミングが遅くなるように制御する。
【０３３２】
具体的には、図２６を参照して、まず、無線基地局装置１０１におけるハンドオーバ動作制御部１３は、ハンドオーバ成功回数Ｎｈｓをゼロに設定し、かつ”Ｔｏｏ  Ｌａｔｅ  ＨＯ”の検出回数Ｎｈｄをゼロに設定する（ステップＳ２６１）。
【０３３３】
次に、ハンドオーバ動作制御部１３は、自己の無線基地局装置１０１におけるハンドオーバ情報すなわちハンドオーバ動作履歴を取得し、ハンドオーバ成功回数Ｎｈｓおよび検出回数Ｎｈｄを更新する。具体的には、ハンドオーバ動作制御部１３は、自己から他の無線基地局装置へのハンドオーバが成功した回数をカウントし、かつハンドオーバ動作のタイミングが早くなるようにパラメータを設定した回数をカウントする（ステップＳ２６２）。
【０３３４】
ハンドオーバ動作制御部１３は、ハンドオーバ成功回数Ｎｈｓおよび検出回数Ｎｈｄの和が所定の閾値Ｔｈ１１以下である場合には（ステップＳ２６３でＮＯ）、引き続きハンドオーバ情報の収集および上記各回数の更新を行う（ステップＳ２６２）。
【０３３５】
そして、ハンドオーバ動作制御部１３は、ハンドオーバ成功回数Ｎｈｓおよび検出回数Ｎｈｄの和が所定の閾値Ｔｈ１１より大きくなると（ステップＳ２６３でＹＥＳ）、ハンドオーバ成功回数Ｎｈｓに対する”Ｔｏｏ  Ｌａｔｅ  ＨＯ”の検出回数Ｎｈｄの割合を算出し、ハンドオーバ動作のタイミング制御の判断を行う。上記割合は、以下の式で表される。
Ｎｈｄ／（Ｎｈｓ＋Ｎｈｄ）
【０３３６】
ハンドオーバ動作制御部１３は、上記割合が所定の閾値Ｔｈ１２より大きい場合には（ステップＳ２６４でＹＥＳ）、ハンドオーバ動作のタイミングが早くなるようにパラメータを設定する（ステップＳ２６５）。そして、ハンドオーバ動作制御部１３は、ハンドオーバ成功回数Ｎｈｓおよび検出回数Ｎｈｄをゼロに初期化し（ステップＳ２６１）、ハンドオーバ情報の収集および上記各回数の更新を再び行う（ステップＳ２６２）。
【０３３７】
また、ハンドオーバ動作制御部１３は、上記割合が所定の閾値Ｔｈ１２以下であり（ステップＳ２６４でＮＯ）、かつ所定の閾値Ｔｈ１３未満である場合には（ステップＳ２６６でＹＥＳ）、ハンドオーバ動作のタイミングが遅くなるようにパラメータを設定する（ステップＳ２６７）。ここで、閾値Ｔｈ１３は、閾値Ｔｈ１２よりも小さい。そして、ハンドオーバ動作制御部１３は、ハンドオーバ成功回数Ｎｈｓおよび検出回数Ｎｈｄをゼロに初期化し（ステップＳ２６１）、ハンドオーバ情報の収集および上記各回数の更新を再び行う（ステップＳ２６２）。
【０３３８】
また、ハンドオーバ動作制御部１３は、上記割合が所定の閾値Ｔｈ１２以下であり（ステップＳ２６４でＮＯ）、かつ所定の閾値Ｔｈ１３以上である場合には（ステップＳ２６６でＮＯ）、ハンドオーバ成功回数Ｎｈｓおよび検出回数Ｎｈｄをゼロに初期化し（ステップＳ２６１）、ハンドオーバ情報の収集および上記各回数の更新を再び行う（ステップＳ２６２）。
【０３３９】
このように、図２６に示す例では、ハンドオーバ動作制御部１３は、ハンドオーバ動作の成功回数に対して、”Ｔｏｏ  Ｌａｔｅ  ＨＯ”であると判断したハンドオーバ動作の回数の割合が少ない場合には、”Ｔｏｏ  Ｌａｔｅ  ＨＯ”を抑制するよりも、”Ｐｉｎｇ  Ｐｏｎｇ  ＨＯ”を抑制した方が適切であると判断し、ハンドオーバ動作のタイミングを遅くする制御を行う。
【０３４０】
ところで、非特許文献１に記載されるような不適切なハンドオーバ動作が行なわれると、通信システムにおいて、通信断および通信トラフィックの増大等、種々の問題が生じる。
【０３４１】
これに対して、本発明の実施の形態に係る無線基地局装置では、監視部１１は、無線端末装置２０２からの所定情報たとえばＣＱＩレポートの到着を予定し、所定情報の到着を監視する。時間計測部１２は、無線端末装置２０２による自己の無線基地局装置へのハンドオーバ動作が行なわれてから、無線端末装置２０２からの所定情報が監視部１１の予定に反して自己の無線基地局装置に到着しなくなるまでの通信継続時間を計測する。そして、ハンドオーバ動作制御部１３は、時間計測部１２によって計測された通信継続時間が所定値以上の場合には、無線端末装置２０２による自己から他の無線基地局装置へのハンドオーバ動作のタイミングが早まるように制御する。
【０３４２】
このような構成により、無線端末装置によるハンドオーバのタイミングが遅すぎる”Ｔｏｏ  Ｌａｔｅ  ＨＯ”を、無線基地局装置単体で検出することが可能となる。すなわち、無線基地局装置間で情報をやり取りすることができない場合、あるいは無線端末装置がＲＬＦ等に関する情報を無線基地局装置に通知する機能を有していない場合でも、不適切なハンドオーバ動作を検出することができる。また、無線基地局装置間で情報をやり取りする必要がなくなることから、コアネットワークにおける処理の簡易化および通信トラフィックの低減を図ることができる。また、無線端末装置による自己の無線基地局装置へのハンドオーバ動作が行なわれてからの経過時間を含めた無線端末装置との通信状況を取得し、これに基づく判断を行なう構成により、”Ｔｏｏ  Ｌａｔｅ  ＨＯ”を適切に検出することができる。
【０３４３】
そして、無線基地局装置は、”Ｔｏｏ  Ｌａｔｅ  ＨＯ”を検出することにより、たとえばハンドオーバ動作を制御するパラメータを調整して”Ｔｏｏ  Ｌａｔｅ  ＨＯ”を抑制することができるため、良好な通信システムを構築することができる。
【０３４４】
したがって、本発明の実施の形態に係る無線通信システムでは、不適切なハンドオーバ動作を検出し、無線端末装置のハンドオーバ動作を制御することにより、通信の安定化を図ることができる。
【０３４５】
また、本発明の実施の形態に係る無線基地局装置では、時間計測部１２は、無線端末装置２０２による自己の無線基地局装置へのハンドオーバ動作が行なわれてから、無線端末装置２０２から定期的に送信される所定情報たとえばＰｅｒｉｏｄｉｃ  ＣＱＩを所定時間以上自己の無線基地局装置が受信していない状態となるまでの時間を通信継続時間として計測する。
【０３４６】
このように、無線端末装置から定期的に送信される情報を用いる構成により、無線端末装置による自己の無線基地局装置へのハンドオーバ動作が行なわれてからの経過時間を含めた無線端末装置との通信状況を正確に把握し、”Ｔｏｏ  Ｌａｔｅ  ＨＯ”を適切に検出することができる。また、無線端末装置からの所定情報の未到着を監視する構成により、無線端末装置との間の通信の途絶を適切に検出することができる。
【０３４７】
また、本発明の実施の形態に係る無線基地局装置では、監視部１１は、無線端末装置２０２による自己の無線基地局装置へのハンドオーバ動作が行なわれてから、無線端末装置２０２からの所定情報が到着した回数をカウントする。そして、時間計測部１２は、監視部１１によってカウントされた回数に基づいて通信継続時間を計測する。
【０３４８】
このように、無線端末装置２０２から定期的に送信される情報の到着回数をカウントする構成により、無線端末装置による自己の無線基地局装置へのハンドオーバ動作が行なわれてから、無線端末装置および自己の無線基地局装置間の通信が途絶するまでの時間を、簡易な構成および処理で取得することができる。
【０３４９】
また、本発明の実施の形態に係る無線基地局装置では、時間計測部１２は、無線端末装置２０２による自己の無線基地局装置へのハンドオーバ動作が行なわれてから、無線基地局装置の要求に応じて無線端末装置２０２から送信される所定情報たとえばＡｐｅｒｉｏｄｉｃ  ＣＱＩまたはＨＡＲＱ  ＡＣＫを、自己の無線基地局装置が要求を行ってから所定時間以上受信していない状態となるまでの時間を通信継続時間として計測する。
【０３５０】
このように、無線基地局装置の要求に応じて無線端末装置から送信される情報を用いる構成により、無線端末装置からの所定情報の未到着を監視し、無線端末装置との間の通信の途絶を適切に検出することができる。
【０３５１】
また、本発明の実施の形態に係る無線基地局装置では、上記所定情報は、たとえば無線端末装置２０２における自己の無線基地局装置からの無線信号の受信品質を示すＣＱＩレポートである。ハンドオーバ動作制御部１３は、時間計測部１２によって計測された通信継続時間が所定値以上であり、かつ過去に到着したＣＱＩレポートの示す受信品質が悪い場合には、無線端末装置２０２による自己から他の無線基地局装置へのハンドオーバ動作のタイミングが早まるように制御する。一方、ハンドオーバ動作制御部１３は、過去に到着したＣＱＩレポートの示す受信品質が良い場合には、上記ハンドオーバ動作のタイミングを早める制御を行なわないか、ＣＱＩレポートの示す受信品質が悪い場合と比べて上記ハンドオーバ動作のタイミングを早める制御幅を小さく設定するか、または上記ハンドオーバ動作のタイミングを早める制御を行なう判断基準となるカウント値を受信品質が悪い場合と比べて少なく増加または減少させる。
【０３５２】
このように、無線端末装置からのＣＱＩレポートが途絶える以前の当該無線端末装置における受信品質を用いる構成により、無線端末装置における電波環境を正確に把握し、”Ｔｏｏ  Ｌａｔｅ  ＨＯ”を適切に検出することができる。
【０３５３】
また、本発明の実施の形態に係る無線基地局装置では、ハンドオーバ動作制御部１３は、時間計測部１２によって計測された通信継続時間が所定値以上であり、過去に到着した所定情報の示す受信品質が良く、かつ無線端末装置２０２の移動速度が高い場合には、過去に到着した所定情報の示す受信品質が悪い場合と比べて無線端末装置２０２による自己から他の無線基地局装置へのハンドオーバ動作のタイミングを早める制御幅を小さく設定するか、または上記ハンドオーバ動作のタイミングを早める制御を行なう判断基準となるカウント値を受信品質が悪い場合と比べて少なく増加または減少させる。一方、ハンドオーバ動作制御部１３は、時間計測部１２によって計測された通信継続時間が所定値以上であり、過去に到着した所定情報の示す受信品質が良く、かつ無線端末装置２０２の移動速度が低い場合には、上記ハンドオーバ動作のタイミングを早める制御を行なわない。
【０３５４】
このように、無線端末装置の受信品質に加えて移動速度を用いる構成により、無線端末装置における電波環境をさらに正確に把握し、”Ｔｏｏ  Ｌａｔｅ  ＨＯ”をより適切に検出することができる。
【０３５５】
また、本発明の実施の形態に係る無線基地局装置では、電力情報取得部１４は、無線端末装置２０２における各無線基地局装置からの無線信号の受信電力の測定結果を示す受信電力情報を取得する。そして、ハンドオーバ動作制御部１３は、時間計測部１２によって計測された通信継続時間が所定値以上であり、かつ電力情報取得部１４によって取得された受信電力情報の示す各受信電力のうちの少なくともいずれか１つが所定値以上である場合に、無線端末装置２０２による自己から他の無線基地局装置へのハンドオーバ動作のタイミングが早まるように制御する。
【０３５６】
このような構成により、無線端末装置がどの無線基地局装置とも通信できないカバレッジホールへ進入した事象と”Ｔｏｏ  Ｌａｔｅ  ＨＯ”の発生とを適切に区別し、”Ｔｏｏ  Ｌａｔｅ  ＨＯ”の誤検出を抑制することができる。
【０３５７】
また、本発明の実施の形態に係る無線基地局装置では、電力情報取得部１４は、無線端末装置２０２における各無線基地局装置からの無線信号の受信電力の測定結果を示す受信電力情報を取得する。そして、ハンドオーバ動作制御部１３は、時間計測部１２によって計測された通信継続時間が所定値以上であり、かつ電力情報取得部１４によって取得された受信電力情報において、自己の無線基地局装置からの無線信号の受信電力が他の無線基地局装置からの無線信号の受信電力よりも小さい場合に、無線端末装置２０２による自己から他の無線基地局装置へのハンドオーバ動作のタイミングが早まるように制御する。
【０３５８】
このような構成により、無線端末装置における電波環境を正確に把握するとともに受信電力情報の更新周期を適切に評価することができるため、無駄なハンドオーバ制御を抑制することができる。
【０３５９】
また、本発明の実施の形態に係る無線基地局装置では、ハンドオーバ動作制御部１３は、時間計測部１２によって計測された通信継続時間が所定値以上であり、かつ無線端末装置２０２の移動速度が所定値未満の場合に、無線端末装置２０２による自己から他の無線基地局装置へのハンドオーバ動作のタイミングが早まるように制御する。
【０３６０】
このような構成により、無線端末装置の移動速度に応じて、ハンドオーバ動作のタイミング制御を行なうか否かを適切に判断することができる。
【０３６１】
また、本発明の実施の形態に係る無線基地局装置では、ハンドオーバ動作制御部１３は、さらに、ハンドオーバ動作のタイミング制御を行った回数、および無線端末装置２０２による自己から他の無線基地局装置へのハンドオーバ動作が成功した回数に基づいて、ハンドオーバ動作のタイミングが早まるように制御するか、またはハンドオーバ動作のタイミングが遅くなるように制御する。
【０３６２】
このような構成により、無線基地局装置１０１における”Ｔｏｏ  Ｌａｔｅ  ＨＯ”の発生を含めたハンドオーバ動作履歴に基づいて、ハンドオーバ動作のタイミングを早める制御に加えて、ハンドオーバ動作のタイミングを遅くする制御を行なうことができるため、ハンドオーバ動作のタイミングをより適切に制御することができる。
【０３６３】
なお、本発明の実施の形態に係る無線基地局装置では、無線端末装置による自己へのハンドオーバ動作のタイミングからの経過時間を計測する構成である。この「ハンドオーバ動作のタイミング」は、ハンドオーバ動作におけるいずれのタイミングであってもよい。すなわち、ハンドオーバを行なうことを決定するタイミング等、ハンドオーバ動作の直前、最中および直後のいずれのタイミングであってもよい。
【０３６４】
また、本発明の実施の形態に係る無線基地局装置では、ハンドオーバ動作制御部１３は、ＣＱＩレポートの受信状況に基づいて”Ｔｏｏ  Ｌａｔｅ  ＨＯ”を検出する構成であるとしたが、これに限定するものではない。ＣＱＩレポートを用いる構成に限らず、たとえば受信電力情報の受信状況に基づいて”Ｔｏｏ  Ｌａｔｅ  ＨＯ”を検出する構成であってもよい。また、受信電力情報は、無線端末装置２０２から定期的に送信されるものに限らず、イベント起動、すなわち所定の条件が満たされた場合に無線端末装置２０２から送信されるものであってもよい。
【０３６５】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０３６６】
１１  監視部
１２  時間計測部
１３  ハンドオーバ動作制御部
１４  電力情報取得部
９１  アンテナ
９２  サーキュレータ
９３  無線受信部
９４  無線送信部
９５  信号処理部
９６  受信信号処理部
９７  送信信号処理部
９８  制御部
１０１Ａ，１０１Ｂ，１０１Ｃ  無線基地局装置
【図１】
0005842570.tif 000002
【図２】
0005842570.tif 000003
【図３】
0005842570.tif 000004
【図４】
0005842570.tif 000005
【図５】
0005842570.tif 000006
【図６】
0005842570.tif 000007
【図７】
0005842570.tif 000008
【図８】
0005842570.tif 000009
【図９】
0005842570.tif 000010
【図１０】
0005842570.tif 000011
【図１１】
0005842570.tif 000012
【図１２】
0005842570.tif 000013
【図１３】
0005842570.tif 000014
【図１４】
0005842570.tif 000015
【図１５】
0005842570.tif 000016
【図１６】
0005842570.tif 000017
【図１７】
0005842570.tif 000018
【図１８】
0005842570.tif 000019
【図１９】
0005842570.tif 000020
【図２０】
0005842570.tif 000021
【図２１】
0005842570.tif 000022
【図２２】
0005842570.tif 000023
【図２３】
0005842570.tif 000024
【図２４】
0005842570.tif 000025
【図２５】
0005842570.tif 000026
【図２６】
0005842570.tif 000027